(57)【要約】導電性繊維材１２を有する織糸又は編糸として使ってファスナーテープ４を織成又は編成し、導電性繊維材１２を信号線２３またはアンテナ線２１としてファスナーテープ４上に形成する。無線ＩＣチップなどの識別媒体２０を取り付けた固定具が被着体２５に被着されたときには、識別媒体２０は被着体２５によって被覆され、外からは識別媒体２０が被着体２５に取り付けられていることが判別できない状態となる。外からは識別媒体２０の存在が確認できないにもかかわらず、識別媒体２０のもつ各種データや情報の授受により、被着体の真贋を識別することや被着体の商品管理等を行うことができるようになる。
2005018365.tif 000002
【特許請求の範囲】
【請求項１】
固着手段が取り付けられ、被着体（２５）に被着されるテープ（４、３０ａ、３１ａ、３２ａ，３３ａ）を有するファスナーであって、
同テープ（４、３０ａ、３１ａ、３２ａ，３３ａ）における前記被着体（２５）により被覆される部位に識別媒体（２０）が取り付けられてなることを特徴とするファスナー。
【請求項２】
前記識別媒体（２０）が無線ＩＣチップであり、同無線ＩＣチップに接続したアンテナ（２１）又は信号線（２３）が、前記ファスナーに取り付けられてなることを特徴とする請求の範囲第１項記載のファスナー。
【請求項３】
前記アンテナ（２１）又は信号線（２３）が、前記テープ（４、３０ａ、３１ａ、３２ａ，３３ａ）に織成又は編成されてなることを特徴とする請求の範囲第２項記載のファスナー。
【請求項４】
前記アンテナ（２１）又は信号線（２３）が、前記テープ（４、３０ａ，３１ａ、３２ａ、３３ａ）に貼付、接着、溶着、印刷或いは埋め込まれてなることを特徴とする請求の範囲第２項記載のファスナー。
【請求項５】
前記アンテナ（２１）又は信号線（２３）が、スライドファスナー（１）の芯紐（１１）に形成されてなることを特徴とする請求の範囲第２〜４項のいずれかに記載のファスナー。
【請求項６】
前記芯紐（１１）を構成する少なくとも一部の繊維に、導電性繊維材（１２）が用いられてなることを特徴とする請求の範囲第５項記載のファスナー。
【請求項７】
前記アンテナ（２１）又は信号線（２３）が、スライドファスナー（１）のファスナーエレメント（１４）に形成され、同ファスナーエレメント（１４）が導電性樹脂モノフィラメントを曲げて形成されてなることを特徴とする請求の範囲第２項記載のファスナー。
【請求項８】
固着手段が取り付けられ、被着体（２５）に被着されるテープ（４、３０ａ、３１ａ、３２ａ，３３ａ）を有するファスナーであって、
前記ファスナーに取り付けた識別媒体（２０）と、
前記テープ（４、３０ａ、３１ａ、３２ａ，３３ａ）の長手方向に連続して配したアンテナ（２１）又は信号線（２３）とを有し、
前記識別媒体（２０）が無線ＩＣチップであり、
前記無線ＩＣチップとアンテナ（２１）又は信号線（２３）とが接続してなることを特徴とするファスナー。
【請求項９】
前記アンテナ（２１）又は信号線（２３）が、前記テープ（４、３０ａ、３１ａ、３２ａ，３３ａ）に織成又は編成されてなることを特徴とする請求の範囲第８項記載のファスナー。
【請求項１０】
前記アンテナ（２１）又は信号線（２３）が、前記テープ（４、３０ａ，３１ａ、３２ａ、３３ａ）に貼付、接着、溶着、印刷或いは埋め込まれてなることを特徴とする請求の範囲第８項記載のファスナー。
【請求項１１】
前記アンテナ（２１）又は信号線（２３）が、スライドファスナー（１）の芯紐（１１）に形成されてなることを特徴とする請求の範囲第８〜１０項のいずれかに記載のファスナー。
【請求項１２】
前記アンテナ（２１）又は信号線（２３）が、スライドファスナー（１）のファスナーエレメント（１４）に形成され、同ファスナーエレメント（１４）が導電性樹脂モノフィラメントを曲げて形成されてなることを特徴とする請求の範囲第８項記載のファスナー。
【請求項１３】
被着体（２５）に被着されるファスナーテープ（４）を有するスライドファスナー（１）であって、
同ファスナーテープ（４）における止部（５、６、１５）の近傍に識別媒体（２０）が取り付けられてなることを特徴とするスライドファスナー。
【請求項１４】
前記識別媒体（２０）が無線ＩＣチップであり、同無線ＩＣチップに接続したアンテナ（２１）又は信号線（２３）が、前記ファスナーに取り付けられてなることを特徴とする請求の範囲第１３項記載のファスナー。
【請求項１５】
前記無線ＩＣチップ（２０）に接続した前記アンテナ（２１）又は信号線（２３）が、前記ファスナーテープ（４）に織成又は編成されてなることを特徴とする請求の範囲第１４項記載のスライドファスナー。
【請求項１６】
前記アンテナ（２１）又は信号線（２３）が、前記ファスナーテープ（４）に貼付、接着、溶着、印刷或いは埋め込まれてなることを特徴とする請求の範囲第１４項記載のファスナー。
【請求項１７】
前記無線ＩＣチップ（２０）に接続した前記アンテナ（２１）又は信号線（２３）が、スライドファスナー（１）の芯紐（１１）に形成されてなることを特徴とする請求の範囲第１４〜１６項のいずれかに記載のスライドファスナー。
【請求項１８】
前記芯紐（１１）を構成する少なくとも一部の繊維に導電性繊維材（１２）が用いられてなることを特徴とする請求の範囲第１７項記載のスライドファスナー。
【請求項１９】
前記無線ＩＣチップ（２０）に接続した前記アンテナ（２１）又は信号線（２３）が、スライドファスナー（１）のファスナーエレメント（１４）に形成され、同ファスナーエレメント（１４）が導電性樹脂モノフィラメントを曲げて形成されてなることを特徴とする請求の範囲第１４〜１６項のいずれかに記載のスライドファスナー。
【請求項２０】
被着体（２５）に被着されるファスナーテープ（４）を有するスライドファスナー（１）であって、
スライドファスナー（１）の止部（５、６、１５）に識別媒体（２０）を取り付けてなることを特徴とするスライドファスナー。
【請求項２１】
前記識別媒体（２０）が、前記止部（５、６、１５）に内蔵されてなることを特徴とする請求の範囲第２０項記載のスライドファスナー。
【請求項２２】
前記識別媒体（２０）が、前記止部（５、６、１５）に着脱自在に取り付けられてなることを特徴とする請求の範囲第２０項記載のスライドファスナー。
【請求項２３】
前記止部が、上止部（５）であることを特徴とする請求の範囲第２０〜２２項のいずれかに記載のスライドファスナー。
【請求項２４】
前記止部が、下止部（６）であることを特徴とする請求の範囲第２０〜２２項のいずれかに記載のスライドファスナー。
【請求項２５】
前記止部が、開離嵌挿具（１５）であることを特徴とする請求の範囲第２０〜２２項のいずれかに記載のスライドファスナー。
【請求項２６】
固着手段が取り付けられ、被着体（２５）に被着されるテープ（４、３０ａ、３１ａ、３２ａ、３３ａ）を有するファスナーであって、
識別媒体（２０）が前記固着手段に取り付けられてなることを特徴とするファスナー。
【請求項２７】
被着体（２５）に被着されるファスナーテープ（４）を有するスライドファスナー（１）において、
識別媒体（２０）がファスナーエレメント（１４）に取り付けられてなることを特徴とするスライドファスナー。
【請求項２８】
被着体（２５）に被着されるファスナーテープ（４）を有するスライドファスナー（１）において、
識別媒体（２０）が、スライダー（２）に取り付けられてなることを特徴とするスライドファスナー。
【請求項２９】
前記識別媒体（２０）が、スライダー（２）内に内蔵されてなることを特徴とする請求の範囲第２８項記載のスライドファスナー。
【請求項３０】
前記識別媒体（２０）が、スライダー（２）に着脱自在に取り付けられてなることを特徴とする請求の範囲第２８項記載のスライドファスナー。
【請求項３１】
被着体（２５）に被着されるファスナーテープ（４）を有するスライドファスナー（１）において、
識別媒体（２０）が、引き手（３）に対して着脱自在に取り付けた装飾部材（１９）に取り付けられてなることを特徴とするスライドファスナー。
【請求項３２】
固着手段が取り付けられ、被着体（２５）に被着されるテープ（４、３０ａ、３１ａ、３２ａ，３３ａ）を有するファスナーであって、
無線ＩＣチップである識別媒体（２０）と、
無線ＩＣチップに接続する電源電池（２２）及びアンテナ（２１）を取り付けてなることを特徴とするファスナー。
【請求項３３】
前記無線ＩＣチップ（２０）及び／又は電源電池（２２）が、前記テープ（４、３０ａ、３１ａ、３２ａ，３３ａ）に着脱自在に取り付けられてなることを特徴とする請求の範囲第３２項記載のファスナー。
【請求項３４】
前記ファスナーが、左右に開閉する左右一対の前記ファスナーテープ（４）と開離嵌挿具（１５）とを備え、前記無線ＩＣチップ（２０）が一方のテープ（４）に取り付けられ、無線ＩＣチップ（２０）の電源電池（２２）が他方のテープ（４）に取り付けられてなり、前記開離嵌挿具（１５）の係脱操作により前記無線ＩＣチップ（２０）と電源電池（２２）との接続及び断接を行うスイッチを形成したことを特徴とする請求の範囲第３２又は３３項記載のファスナー。
【請求項３５】
無線ＩＣチップである識別媒体（２０）と、
前記無線ＩＣチップとの交信を遮蔽する遮蔽材と、
を取り付けてなることを特徴とするファスナー。
【請求項３６】
前記遮蔽材が、無線ＩＣチップ（２０）と接続したアンテナ（２１）を遮蔽してなることを特徴とする請求の範囲第３５項記載のファスナー。
【請求項３７】
前記ファスナーが、被着体（２５）に被着されるテープ（４、３０ａ、３１ａ、３２ａ，３３ａ）を有することを特徴とする請求の範囲第３５又は３６項記載のファスナー。
【請求項３８】
対面して係脱可能な係合面を有する面ファスナーであって、
前記係合面間に識別媒体（２０）を配置して被覆してなることを特徴とする面ファスナー。
【請求項３９】
前記識別媒体（２０）は無線ＩＣチップであり、無線ＩＣチップを被覆する面ファスナーが、無線ＩＣチップとの交信を遮蔽する遮蔽材を有してなることを特徴とする請求の範囲第３８項記載の面ファスナー。
【請求項４０】
識別媒体（２０）を取り付けたファスナーが被着された被着体であって、
前記識別媒体（２０）は無線ＩＣチップであり、
前記被着体に無線ＩＣチップと電気的に接続したアンテナ（２１）又は信号線（２３）を有することを特徴とする被着体。
【請求項４１】
前記ファスナー（１）のテープ（４）に導電性材（１３）或いは導電性繊維材（１２）を配し、
前記被着体（２５）に各種センサ（２８）を取り付け、
前記テープ（４）に配した導電性材（１３）或いは導電性繊維材（１２）を介して前記各種センサ（２８）及び前記アンテナ（２１）又は信号線（２３）と前記無線ＩＣチップ（２０）とを電気的に接続してなることを特徴とする請求の範囲第４０項記載の被着体。
【請求項４２】
識別媒体（２０）を取り付けたファスナーが被着された被着体であって、
前記識別媒体（２０）は無線ＩＣチップであり、
前記被着体に無線ＩＣチップを被覆して、無線ＩＣチップとの交信を遮蔽する遮蔽材を有することを特徴とする被着体。
【請求項４３】
前記ファスナーが、無線ＩＣチップ（２０）と接続したアンテナ（２１）を備え、前記被着体（２５）に前記アンテナ（２１）を覆う遮蔽材（４５）を有することを特徴とする請求の範囲第４２項記載の被着体。
【請求項４４】
識別媒体（２０）を着脱自在に取り付けてなることを特徴とするファスナー。
【請求項４５】
前記ファスナーが、スナップファスナーであることを特徴とする請求の範囲第４４項記載のファスナー。
【請求項４６】
前記ファスナーが、レールファスナーであることを特徴とする請求の範囲第４４項記載のファスナー。
【請求項４７】
前記ファスナーが、バックルであることを特徴とする請求の範囲第４４項記載のファスナー。
【請求項４８】
前記ファスナーが、コードストッパーであることを特徴とする請求の範囲第４４項記載のファスナー。
【請求項４９】
前記ファスナーが、ナスカンであることを特徴とする請求の範囲第４４項記載のファスナー。
【請求項５０】
前記ファスナーが、スナップボタンであることを特徴とする請求の範囲第４４項記載のファスナー。
【請求項５１】
前記ファスナーが、スライドファスナーであることを特徴とする請求の範囲第４４項記載のファスナー。
【請求項５２】
前記ファスナーが、面ファスナーであることを特徴とする請求の範囲第４４項記載のファスナー。
【請求項５３】
前記ファスナーが、ベルトアジャスターであることを特徴とする請求の範囲第４４項記載のファスナー。
【発明の詳細な説明】
【技術分野】
【０００１】  本発明は、例えばスライドファスナー、面ファスナー、テープ付きスナップファスナー、係合条片を有するレール状ファスナー、バックル、コードストッパ、ベルトアジャスター、ナスカン、スナップボタンなどの各種ファスナーに係わり、特に、狭小領域及び広範囲領域における製品管理機能或いは各種セキュリティ機能を奏することのできる無線ＩＣチップ、又は無線ＩＣチップと送受信用アンテナなどの識別媒体を内蔵した各種ファスナー及び同ファスナーを被着した被着体に関するものである。【０００２】  なお、本明細書及び特許請求の範囲の記載において識別媒体とは、読み取り及び／又は書き込みが可能な符号、ＩＤ（Ｉｄｅｎｔｉｆｉｃａｔｉｏｎ）識別符号をもつ媒体を指す用語として用いている。識別媒体として代表的なものとしては、ＲＦＩＤ（Ｒａｄｉｏ  Ｆｒｅｑｕｅｎｃｙ  Ｉｄｅｎｔｉｆｉｃａｔｉｏｎ）、識別手段を有する添加物とその添加物を含有する識別情報保持物、同じく識別手段を有する秘密情報が埋め込まれた文字や図形などがある。【０００３】  ＲＦＩＤとしては、シリコンチップのＲＦＩＤやクリスタルチップのＲＦＩＤを用いることができるものである。ＲＦＩＤは、無線ＩＣとかＩＣタグと称される場合もある。ＲＦＩＤの交信距離は０〜１０数ｃｍ未満、好適には１０ｍｍ未満である。さらに本発明にあっては、ＩＣチップとリーダー／ライターとが接触したときに交信が可能となる接触式ＩＣチップをも含むものである。【０００４】  また、上記識別情報保持物としては、例えば、希土類元素を樹脂等に混入させた識別媒体であり、混入させた希土類元素の種類、添加量等により特定な情報を表す識別情報としたもので所謂プラゲノム（登録商標）と称されるもの、生物のＤＮＡ情報の一部から人工的に作られた合成ＤＮＡをインクに混入した所謂ＤＮＡインク（登録商標）と称されるものなどである。核磁気共鳴現象を利用した検出、赤外線等の光学式による検出等により、インクに混入した合成ＤＮＡ情報を読み出すことができる。【０００５】  識別手段を有する秘密情報が埋め込まれた文字や図形などとしては、赤外線等に反応する識別糸を媒体に組み込んだ識別媒体であり、赤外線等を照射することで媒体に組み込んだ識別糸を視認することができるもの、あるいは、文字、絵柄、模様等を媒体に設けた識別媒体であり、同文字、絵柄、模様等を視認することができるものなどが含まれる。
【背景技術】
【０００６】  近年、無線通信方式によってデータ通信を行う非接触型ＩＤタグを生産段階で商品に内蔵させ、商品の生産から物流、販売等にいたるトータル的な商品管理を行うことや、商品の紛失防止、盗難防止、偽造防止などが行われている。また、ＩＤタグを衣服に装着して痴呆症患者の徘徊防止等に利用することなどが提案されてきている。【０００７】  一般に非接触型ＩＤタグは、データ処理を行うＣＰＵやメモリ、信号の変調・増幅部等を有する無線ＩＣチップとその送受信アンテナとにより構成されている。無線ＩＣチップの電源としては、外部の読取装置から受信した電磁波で起電力を発生させ、発生した起電力を無線ＩＣチップの電源として用いる形式と無線ＩＣチップ用の電源電池を備えている形式とが用いられている。【０００８】  無線ＩＣチップのメモリに格納されているデータを外部の読取装置によって読み取るにあたって、電源電池を備えていない形式のものにおいては、ＩＤタグ内に内蔵した受信アンテナに読取装置からの制御信号を受信する機能と共にコイルとしての機能も持たせている。外部の読取装置から送信した電磁波によって、受信アンテナであるコイルに起電力を発生させ、同起電力でもって無線ＩＣチップの動作を行わせている。電源電池を備えたものでは、受信アンテナによる起電力を発生させず、電源電池によって無線ＩＣチップを動作させている。【０００９】  無線ＩＣチップが動作可能状態にあると、読取装置からの制御信号に基づいて無線ＩＣチップ内のメモリから必要なデータを取り出して、同データを応答データとして送信アンテナから読取装置に応答送信することができる。応答送信された信号は読取装置の受信アンテナで受信され、読取装置の制御部において応答データの解析が行われる。この応答データは無線ＩＣチップ内に格納されていたデータとして読取装置内に一時格納されたのち、パソコンなどの制御機器へと送信される。【００１０】  また、読取装置から送信された制御信号に基づいて、無線ＩＣチップ内のメモリに格納されるデータの更新あるいは書き換え等を行うことも無線ＩＣチップの性能によって可能である。無線ＩＣチップ内のメモリからのデータの読み出し、データの書き込みにあたっては、各種セキュリティ手段を講じておくことができる。【００１１】  この種のＩＤタグを内蔵したスライドファスナー用引手の一例が、例えば特開２００２−１２５７２１号公報（特許文献１）に開示されている。同公報に開示されたスライドファスナーの引手は、図５１に示すように金属製や合成樹脂、皮革、厚布等の軟質材製の引手本体５１内にＩＣチップ５４とコイルアンテナ５３とを埋め込んでおり、コイルアンテナ５３とＩＣチップ５４とは細いガラス管５５内に封入されている。【００１２】  引手本体５１を金属材料により構成する場合は、同引手本体５１にガラス管５５の埋込孔５２が形成されるとともに、同埋込孔５２の壁面に内外に連通する送受信用スリット５６が形成され、同送受信用スリット５６の部位に配したコイルアンテナ５３と外部に配した読取装置との間で信号の送受信が行えるように構成されている。コイルアンテナ５３とＩＣチップ５４とを封入したガラス管５５が前記埋込孔５２内に挿入したのち、同埋���孔５２の開口端をエポキシ樹脂によって密閉し、コイルアンテナ５３とＩＣチップ５４とかからなるＩＤタグを埋設した引手本体５１が形成されている。【００１３】  また、前記引手本体５１を合成樹脂材により構成する場合は、同引手本体５１が電磁透過性をもつ合成樹脂材料から構成される。ガラス管５５中に封入されたＩＤタグは、上記金属製の引手本体と同様に、前記エポキシ樹脂によって前記埋込孔５２内に封入され、ＩＤタグを埋設した引手本体５１が形成されている。【００１４】  更にまた、前記引手本体５１を皮革材や布材により構成する場合は、ガラス管５５を挿入する埋込空間が引手本体５１に形成されている。ガラス管５５中に封入されたコイルアンテナ５３とＩＣチップ５４とからなるＩＤタグは、送受信用の長孔を有する金属管によって被覆して補強されている。補強されたＩＤタグは前記埋込空間内に隠蔽して収納されている。【００１５】  一方、前記ＩＤタグを埋設一体化した衣服用ボタンの一例が、例えば特開２００２−４２１００号公報（特許文献２）に開示されている。同公報に開示された衣服用ボタンは図５２に示すように、電磁透過性を有する硬質樹脂製のボタン本体６２により構成されている。ボタン本体６２の表面にはリング状の凹所６４が形成され、その裏面にはボタンを衣服等に縫い止める縫止脚６１が一体に突設されている。【００１６】  図５３に示すように凹所６４の中心部には無線ＩＣチップ６６が配されるとともに、同無線ＩＣチップ６６に電気的に接続されたらせん状コイルアンテナ６５が前記凹所６４内で周回するように配されている。この無線ＩＣチップ６６とコイルアンテナ６５とからなるＩＤタグが前記凹所６４内に配されたのち、同凹所６４内にエポキシ樹脂６７が流し込まれて固化され、コイルアンテナ６５と無線ＩＣチップ６６とからなるＩＤタグは密封防水処理され、ＩＤタグを内蔵したボタンが形成されている。
【特許文献１】特開２００２−１２５７２１号公報
【特許文献２】特開２００２−４２１００号公報
【発明の開示】
【発明が解決しようとする課題】
【００１７】  上記特許文献１に開示された引手本体にＩＤタグを埋設するためには、ＩＤタグをガラス管内に封入しなければならなかった。しかも、引手本体５１に衝撃が加わったときや送受信用スリット５６から露呈しているガラス管５５に障害物等が衝突したときなどに、ガラス管５５が破損してしまうことがあり、破損したガラス片が送受信用スリット５６から飛散してしまう危険性があった。【００１８】  また上記特許文献２に開示されているボタンでは、衣服等に縫い止めることによって初めてボタンを取付けることができるため、ＩＤタグを内蔵したボタンの使用用途に制限が加えられていた。また、ボタンにアンテナを内蔵させているため、アンテナの長さにも制限があり、広範囲においてＩＤタグとの間で信号の接受を行うことができなかった。【００１９】  特に、スライドファスナーなどのファスナーの用途は拡大されており、カバンやバックから衣料品に至るまで幅広く使用されてきており、その使用形態も種々にわたっている。このため、これらのものに使用されているファスナーに対して、ガラス管を用いることなく、しかもボタン以外のファスナーに対しても使い易い形でＩＤタグを設けることが望まれていた。更に、上述の従来例のものでは、無線ＩＣチップに記憶したデータを外部の読取装置で読み取ることができるのは、ＩＤタグと読取装置間の距離が短い狭小領域内でのみデータの読取が可能であった。このため、ＩＤタグを広範囲領域においても使用することができる技術の開発が望まれていた。【００２０】  また、衣類やカバン等の商品にＩＤタグを取り付けた場合、個々の商品毎にＩＤタグを別途取り付けることは人手と時間とを必要とする。この場合には、部品メーカー側とアパレルメーカー側とは独立して生産から販売に至る管理を別個に行わざるを得ず、商品の生産から物流、販売等のトータル的な商品管理を行うことはできないという問題があった。【００２１】  更に、製品が顧客に手渡った後の真贋判定においては、無線ＩＣチップは読取装置側からに信号に応じて発信すればよく、無線ＩＣチップからの電波到達距離を必要としないが、製造や販売段階での物流管理においては、無線ＩＣチップから発信された電波が所定範囲内に亘って安定した状態で読取装置により受信されることが望まれている。【００２２】  更にまた、無線ＩＣチップには電源を内蔵したアクティブタイプと電源を内蔵していないパッシブタイプとがあるが、アクティブタイプでは電池の寿命により数年で無線ＩＣチップからの発信機能を失ってしまう問題や、パッシブタイプでは無線ＩＣチップからの電波到達距離を長くすることに技術的難易度が高く、コスト高となったり、無線ＩＣチップが大型化してファスナーに取り付けることが困難となったりする問題があった。【００２３】  本発明は、これらの問題を解決するためになされたものである。スライドファスナーなどのファスナーを製造販売する部品メーカーにおいて、ＩＤタグを個々のファスナーに取り付けておけば、同ＩＤタグを取り付けたファスナーを被着体としての商品に取り付けるだけで、ファスナーの商品管理と合わせて商品についてのトータル的な商品管理を行うことができるようになる。このため、本発明ではスラ���ドファスナーなどのファスナーについてその生産段階において無線ＩＣチップ、又は接触式ＩＣチップ、或いは既述したように所謂プラゲノム（登録商標）と称されるもの、生物のＤＮＡ情報の一部から人工的に作られた合成ＤＮＡをインクに混入した所謂ＤＮＡインク（登録商標）と称されるもの、あるいは秘密情報が埋め込まれた文字や図形などの識別媒体を装着させておくことにより上述した問題の解決を図ることにある。【００２４】  また、無線ＩＣチップを取り付けたファスナーを被着した被着体にアンテナを取り付けることにより、広範囲領域においても使用することができることになる。更に、ファスナーに取り付けた無線ＩＣチップにアクティブタイプとパッシブタイプ双方の機能を併せ持たせ、電源によって少なくとも数年は有電起動機能を備えさせることで、製造や販売段階での無線ＩＣチップからの電波が所定範囲内に亘って安定した状態で読取装置により受信することができるようになり、電源の寿命後には読取装置側からの信号に応じて発信する機能を維持させることができるようにする。【００２５】  しかも、アクティブタイプの無線ＩＣチップとパッシブタイプの無線ＩＣチップとをファスナーに取り付け、双方の無線ＩＣチップを同期させて、あるいは一方のみの無線ＩＣチップを選択的に作動させることができるようにする。アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようにする。
発明を解決するための手段【００２６】  前記の目的を達成するため、この発明の第１の基本的な構成は、固着手段が取り付けられ、被着体に被着されるテープを有するファスナーであって、同テープにおける前記被着体により被覆される部位に識別媒体が取り付けられてなることを特徴とするファスナーにある。前記識別媒体が無線ＩＣチップであり、同無線ＩＣチップに接続したアンテナ又は信号線が前記ファスナーに取り付けられるようにすることができる。更に、前記識別媒体として、既述した所謂プラゲノム（登録商標）、所謂ＤＮＡインク（登録商標）、又は秘密情報が埋め込まれた文字や図形なども採用できる。【００２７】  前記固着手段とは、スライドファスナーであれば一対のテープの対向側縁に沿って取り付けられたファスナーエレメントである。また、レール状ファスナーであれば一対のテープに対向して形成され、テープの長手方向に連続する係合条片である。また、スナップボタンファスナーであれば、テープの長手方向に所定の間隔をあけて形成された係合突部を有する雄係合部材と、係合突部が係脱する係合孔部又は係合凹部を有する雌係合部材である。また、面ファスナーであれば対面する一対の係合面に各々又は混在して多数形成されたフック状、又はきのこ状の雄係合素子と、ループ状の雌係合素子である。【００２８】  識別媒体として無線ＩＣチップを採用するときは、読取装置と無線ＩＣチップとは、無線ＩＣチップに接続したアンテナを介して行うことができる。アンテナは無線ＩＣチップと一体的に構成してファスナーのテープに取り付けることも、ファスナーにおけるテープを利用して同テープ上にアンテナを配置することができる。ファスナーのテープを利用する場合には、同テープを構成している織糸あるいは編糸に導電性繊維材を用いることで配線することができる。同導電性繊維材は、例えばセンサと無線ＩＣチップとを接続する信号線として使用することもできる。【００２９】  無線ＩＣチップに備えたメモリとしては、データの書き換えが可能なメモリ、データの書き換えができないメモリ或いはデータの書き込みやプログラムを記憶させることのできるメモリ等を用いることができる。【００３０】  導電性繊維材の配線としては、同導電性繊維材から複数数本の配線を行い各配線の一端を無線ＩＣチップに接続し、他端を開放した状態として前記テープに織り込み或いは編み込みを行うことで構成とすることができる。また、同導電性繊維材の両端を無線ＩＣチップに接続し、両端を無線ＩＣチップに接続した導電性繊維材の中間部をループ状となるように前記テープに織り込み或いは編み込みを行うことで構成することもできる。更には、一端を無線ＩＣチップに接続した少なくとも２本の導電性繊維材の他端をそれぞれ開放した状態に配し、開放した他端同士を適宜の手段で接続してループ状に形成することもできる。【００３１】  或いは、導電性材をファスナーのテープに貼付、接着、溶着、印刷又は埋め込むことで無線ＩＣチップと接続した配線とすることができる。この場合においても、導電性材の一端を無線ＩＣチップに接続し、他端を開放した状態としてアンテナや信号線等として形成することも、導電性材の両端を無線ＩＣチップに接続し、同導電性材の中間部をループ状となるように形成することもできる。２本の導電性材の一端を無線ＩＣチップに接続し、他端同士を適宜の手段で接続してループ状のアンテナに形成することもできる。【００３２】  ファスナーがスライドファスナーである場合には、芯紐を構成する少なくとも一部の繊維に導電性繊維材を用いて同導電性繊維材と無線ＩＣチップとを接続することでアンテナや信号線等としてとして構成することができる。少なくとも２本の導電性繊維材を用い、同導電性繊維材の端部同士を連結すると共に中間部においては少なくとも２本の導電性繊維材が短絡しないように芯紐内に配設し、端部同士が連結されていない方の端部を無線ＩＣチップに接続することでループ状のアンテナを形成することも可能となる。【００３３】  或いは、芯紐に配した導電性繊維材の一端を無線ＩＣチップに接続し、同導電性繊維材の他端と、ファスナーテープに織成又は編成し一端を前記無線ＩＣチップと電気的に接続した導電性繊維材との端部同士を接続することでループ状のアンテナを形成することができる。また、ファスナーテープに貼付、接着、溶着あるいは埋め込んだ導電性材の一端を前記無線ＩＣチップに接続し、同導電性材の他端と芯紐に配した導電性繊維材の他端とを適宜の手段で接続してループ状に形成することもできる。【００３４】  更にまた、スライドファスナーにおける連続状のファスナーエレメントを導電性樹脂モノフィラメントをコイル状やジグザグ状に曲げて形成し、同ファスナーエレメントと無線ＩＣチップとを接続することで無線ＩＣチップのアンテナとして機能させることができる。【００３５】  この発明におけるファスナーとしては、ファスナーが取り付けられ、被着体に被着されるテープを有するファスナーであり、スライドファスナー、係合条片を有するレール状ファスナー、スナップボタンファスナー、面ファスナーなどである。被着体に被着されるテープの部位に上述の識別媒体を取り付けているので、ファスナー単体においてはそれらの識別媒体と読取装置との間でデータのやり取りを行うことができる。【００３６】  本発明の第２の基本的な構成は、固着手段が取り付けられ、被着体に被着されるテープを有するファスナーであって、前記ファスナーに取り付けた識別媒体と、前記テープの長手方向に連続して配したアンテナ又は信号線とを有し、前記識別媒体が無線ＩＣチップであり、前記無線ＩＣチップとアンテナ又は信号線とが接続されてなることを特徴とするファスナーにある。【００３７】  この発明におけるファスナーとしては、固着手段が取り付けられ、被着体に被着されるテープを有するファスナーであり、スライドファスナー、係合条片を有するレール状ファスナー、スナップボタンファスナー、面ファスナーなどである。【００３８】  本願発明の第３の基本的構成は、被着体に被着されるファスナーテープを有するスライドファスナーであって、同ファスナーテープにおける止部の近傍に識別媒体が取り付けられてなることを特徴とするファスナーにある。ファスナーとしては、スライドファスナー、係合条片を有するレール状ファスナー、スナップボタンファスナー、面ファスナーなどである。【００３９】  この発明における構成は、上記第��、第２の基本的な構成と識別媒体をファスナーのテープに取り付けた部位を限定した点とファスナーがスライドファスナーに限定した点を除いて他の構成は同じ構成となっている。この第３の基本的構成のものにおいても、第１、第２の基本的構成において説明したように、アンテナの構成は同様に形成することができる。【００４０】  この発明の第４の基本的な構成は、被着体に被着されるファスナーテープを有するスライドファスナーであって、スライドファスナーの止部に識別媒体を取り付けてなることを特徴とするファスナーにある。この発明における構成は、識別媒体をスライドファスナーの止部に取り付けた点を除いて第１〜第３の基本的な構成同じ構成とすることができる。第４の基本的構成のものにおける止部としては、上止部や下止部あるいは開離嵌挿具がある。【００４１】  識別媒体の取り付け位置は、下止部や上止部あるいは開離嵌挿具に取り付けることができる。また、識別媒体を上述の止部に内蔵して取り付けることも、着脱自在に取り付けることもできる。着脱自在に取り付ける場合には、止部に識別媒体挿入用の穴部を形成して、同穴部に識別媒体を着脱自在に嵌入することで取り付けることができる。このとき、識別媒体が無線ＩＣチップであるときは、無線ＩＣチップをアンテナ内蔵型とすることもできる。【００４２】  アンテナとしては、上述のようにスライドファスナーに導電性繊維材或いは導電性材を配して、同導電性繊維材或いは導電性材をアンテナとして無線ＩＣチップと接続して使用することもできる。【００４３】  この発明の第５の基本的な構成は、固着手段が取り付けられ、被着体に被着されるテープを有するファスナーであって、識別媒体が前記固着手段に取り付けられてなることを特徴とするファスナーにある。【００４４】  この発明の第６の基本的な構成は、被着体に被着されるファスナーテープを有するスライドファスナーであって、識別媒体がファスナーエレメントに取り付けられてなることを特徴とするスライドファスナーにある。【００４５】  この発明の第７及び８の基本的な構成は、被着体に被着されるファスナーテープを有するスライドファスナーにおいて、識別媒体が、スライダーに取り付けられてなること、又は引き手に対して着脱自在に取り付けた装飾部材内に内蔵されてなることを特徴とするスライドファスナーにある。【００４６】  この発明の第９の基本的な構成は、固着手段が取り付けられ、被着体に被着されるテープを有するファスナーであって、無線ＩＣチップ、電源電池及びアンテナを取り付けてなることを特徴とするファスナーにある。ファスナーとしては、スライドファスナー、面ファスナー、スナップファスナー、レールファスナー、バックル、コードストッパー、ナスカン、スナップボタン等を用いることができる。【００４７】  この発明の第１０の基本的な構成は、無線ＩＣチップと、前記無線ＩＣチップを遮蔽する遮蔽材とを取り付けてなることを特徴とするファスナーにある。ファスナーとしては、スライドファスナー、面ファスナー、スナップファスナー、レールファスナー、バックル、コードストッパー、ナスカン、スナップボタン、ベルトアジャスター等を用いることができる。【００４８】  この発明��第１１の基本的な構成は、対面して係脱可能な係合面を有する面ファスナーであって、前記係合面環に識別媒体を配置して被覆してなることを特徴とする面ファスナーにある。前記識別媒体としては、無線ＩＣチップを使うことが好ましく、無線ＩＣチップを被覆する面ファスナーが、無線ＩＣチップとの交信を遮断する遮蔽材を有することが好ましい。【００４９】  この発明の第１２の基本的な構成は、識別媒体を取り付けたファスナーが被着された被着体であって、前記識別媒体が無線ＩＣチップであり、前記被着体に前記無線ＩＣチップと電気的に接続したアンテナ又は信号線を有することを特徴とする被着体にある。【００５０】  この発明の第１３の基本的な構成は、識別媒体を取り付けたファスナーが被着された被着体であって、前記識別媒体は無線ＩＣチップであり、前記被着体に前記無線ＩＣチップを被覆して、無線ＩＣチップとの交信を遮蔽する遮蔽材を有することを特徴とする被着体にある。【００５１】  この発明の第１４の基本的な構成は、識別媒体を着脱自在に取り付けてなることを特徴とするファスナーにある。ファスナーとしては、スライドファスナー、面ファスナー、スナップファスナー、レールファスナー、バックル、コードストッパー、ナスカン、スナップボタン、ベルトアジャスター等を用いることができる。
作用効果【００５２】  真正に製造された固定具なのか贋造品として製造された固定具なのかを、識別媒体である無線ＩＣチップに記憶されたデータ、或いは所謂プラゲノム（登録商標）や所謂ＤＮＡインク（登録商標）などが内蔵する各種情報を読取装置（識別装置）により読み取ることで簡単に識別することができる。また、識別媒体を取り付けた固定具の商品管理等も行うことができる。【００５３】  この発明の第１の基本的構成のものは、識別媒体を取り付けた固定具が被着体に被着されると、識別媒体は被着体によって被覆された状態となり、外からは識別媒体が被着体に取り付けられていることが判別できない状態となる。外からは識別媒体の存在が確認できないにもかかわらず、識別媒体に記憶されたデータや情報または新たに記憶させたデータや情報を用いることが可能となり、被着体の真贋を識別することや被着体の商品管理等を行うことができるようになる。しかも、被着体に識別媒体を別途取り付ける作業を行うことなく、識別媒体を被着体から外部に露出させずに簡単に取り付けることができるようになる。【００５４】  この発明の第２の基本的な構成は、ファスナーが識別媒体である無線ＩＣチップと、前記テープの長手方向に沿って連続して延びた状態に配した前記無線ＩＣチップのアンテナとを有しているので、無線ＩＣチップと読取装置との距離が長くなってもデータの送受信を行うことができるようになる。また、信号線によって各種センサ等と無線ＩＣチップとを接続させることができる。【００５５】  長手方向に沿って連続して延びた状態のアンテナ又は信号線の構成としては、テープの長手方向に直線状に配した構成とすることも、テープの長手方向と交差する方向にジグザグ状に曲げながらテープの長手方向に沿って延ばした構成、螺旋状でテープの長手方向に沿って延ばした構成などを用いることができる。【００５６】  ファスナーのテープにアンテナを配したことによりアンテナ長を長くすることが可能となり、ループ状としたアンテナから発生する起電力を大きくすることができると共に無線ＩＣチップと読取装置間での送受信距離を大きくすることが可能となる。【００５７】  無線ＩＣチップに記憶されたデータを読取装置により読み出すことにより、真正に製造されたファスナーなのか贋造品として製造されたファスナーなのか、あるいは無線ＩＣチップを被着した被着体が真正に製造された被着体なのか贋造品として製造された被着体なのかを簡単に識別することができる。また、無線ＩＣチップを取り付けたファスナーや被着体の商品管理等も行うことができる。【００５８】  無線ＩＣチップに備えたメモリとしては、データの書き換えが可能なメモリ、データの書き換えができないメモリ或いはデータの書き込みやプログラムを記憶させることのできるメモリ等を用いることができる。【００５９】  読取装置と無線ＩＣチップとは、無線ＩＣチップに接続したアンテナを介して行うことができる。アンテナはテープの長さ方向に連続して延びた状態に配した構成に形成することもできれば、無線ＩＣチップと一体的に構成してファスナーのテープに取り付けることも、ファスナーにおけるテープを利用して同テープ上にアンテナを配置することもできる。ファ��ナーのテープを利用する場合には、同テープを構成している織糸あるいは編糸に導電性繊維材を用いることで配線することができる。同導電性繊維材は、アンテナとして使用する以外に、例えばセンサと無線ＩＣチップとを接続する信号線として使用することもできる。【００６０】  導電性繊維材の配線としては、同導電性繊維材から複数数本の配線を行い各配線の一端を無線ＩＣチップに接続し、他端を開放した状態として前記テープに織り込み或いは編み込みを行うことで構成とすることができる。また、同導電性繊維材の両端を無線ＩＣチップに接続し、両端を無線ＩＣチップに接続した導電性繊維材の中間部をループ状となるように前記テープに織り込み或いは編み込みを行うことで構成することもできる。更には、一端を無線ＩＣチップに接続した少なくとも２本の導電性繊維材の他端をそれぞれ開放した状態に配し、開放した他端同士を適宜の手段で接続してループ状に形成することもできる。【００６１】  導電性材をファスナーのテープに貼付、接着、溶着あるいは埋め込むことでアンテナとしての配線とすることができる。この場合においても、導電性材の一端を無線ＩＣチップに接続し、他端を開放した状態としてアンテナとして形成することも、導電性材の両端を無線ＩＣチップに接続し、同導電性材の中間部をループ状となるように形成することもできる。２本の導電性材の一端を無線ＩＣチップに接続し、他端同士を適宜の手段で接続してループ状のアンテナに形成することもできる。【００６２】  ファスナーがスライドファスナーである場合には、芯紐を構成する少なくとも一部の繊維に導電性繊維材を用いて同導電性繊維材と無線ＩＣチップとを接続することでアンテナ又は信号線としてとして構成することができる。少なくとも２本の導電性繊維材を用い、同導電性繊維材の端部同士を連結すると共に中間部においては少なくとも２本の導電性繊維材が短絡しないように芯紐内に配設し、端部同士が連結されていない方の端部を無線ＩＣチップに接続することでループ状のアンテナを形成することも可能となる。【００６３】  或いは、芯紐に配した導電性繊維材の一端を無線ＩＣチップに接続し、同導電性繊維材の他端と、ファスナーテープに織成又は編成し一端を前記無線ＩＣチップと電気的に接続した導電性繊維材との端部同士を接続することでループ状のアンテナを形成することができる。また、ファスナーテープに貼付、接着、溶着、印刷あるいは埋め込んだ導電性材の一端を前記無線ＩＣチップに接続し、同導電性材の他端と芯紐に配した導電性繊維材の他端とを適宜の手段で接続してループ状に形成することもできる。【００６４】  更にまた、スライドファスナーにおける連続状のファスナーエレメントを導電性樹脂モノフィラメントをコイル状やジグザグ状に曲げて形成し、同ファスナーエレメントと無線ＩＣチップとを接続することで無線ＩＣチップのアンテナ又は信号線として機能させることができる。【００６５】  ファスナーエレメントをアンテナとして機能させる場合において、ファスナーエレメントの一端を開放状態のままとすることも、上記したように導電性繊維材や導電性材を用いてループ状に形成することもできる。また、ファスナーエレメントをアンテナ��して機能させる場合において、芯紐の少なくとも一部の繊維を導電性繊維材とすることで芯紐の導電性繊維材を磁芯部材としての機能をもたせることもできる。【００６６】  無線ＩＣチップに電源電池が接続されていない場合には、少なくとも受信アンテナをループ状に形成し、ループ部を用いて起電力を発生させることが必要である。【００６７】  この発明の第３の基本的構成のものにおいても、上述した第１及び第２の基本的な構成から奏することのできる各種効果を同様に奏することができるので、ここではその説明を省略する。この発明では、特にファスナーテープの止部近傍に識別媒体を配しているので、識別媒体の取り付け位置を特定することができ、読取装置で識別媒体に格納されているデータを読み取るときでも、或いはデータの書き込みが可能な識別媒体である無線ＩＣチップ又は接触式ＩＣチップに新たなデータを書き込むときでも識別媒体と読取装置との位置関係を簡単に設定することができるようになる。【００６８】  しかも、ファスナーテープの止部近傍は補強テープにより補強されているので補強テープとファスナーテープ間に識別媒体を配置するだけで、簡単に識別媒体をファスナーテープに取り付けることができるようになる。また、識別媒体が無線ＩＣチップである場合は、補強テープによって無線ＩＣチップやアンテナがファスナーテープから外れたりするのを防止することができ、外部からの衝撃、障害物との衝突等によって無線ＩＣチップやアンテナが破損するのを防止することができるようになる。なお、識別媒体を補強テープ上に配することもできる。第３の基本的構成のものにおける止部としては、上止部や下止部あるいは開離嵌挿具がある。【００６９】  この発明の第４の基本的な構成によっても、上述の第１〜第３の基本的な構成から奏することのできる各種効果を同様に奏することができるものである。第４の基本的構成のものにおける止部としては、上止部や下止部あるいは開離嵌挿具がある。【００７０】  識別媒体の取付位置は下止部や上止部あるいは開離嵌挿具に取り付けることができる。また、識別媒体を上述の止部に内蔵して取り付けることも、着脱自在に取り付けることもできる。識別媒体が無線ＩＣチップであるときは、同無線ＩＣチップを着脱自在に取り付ける場合に、止部に無線ＩＣチップ挿入用の穴部を形成して、同穴部に無線ＩＣチップを着脱自在に嵌入することで取り付けることができる。このとき、無線ＩＣチップをアンテナ内蔵型とすることもでき、あるいは無線ＩＣチップに代えて接触式ＩＣチップとすることもできる。更には、これらの下止部や上止部あるいは開離嵌挿具に、識別媒体としての所謂プラゲノム（登録商標）を添加し、或いは所謂ＤＮＡインク（登録商標）を印刷することにより装着することも可能である。【００７１】  スライドファスナーの各構成部材のいずれかに無線ＩＣチップとアンテナとを内蔵させることで、スライドファスナーの製造工程において無線ＩＣチップとアンテナとを同時にスライドファスナーに組み込むこともできるようになる。【００７２】  また、この発明によれば識別媒体を前記止部に対して着脱自在に形成する場合には、読取装置から識別媒体の各種データや情報が不正に読み取られる恐れがあるときや、不正に書き込まれる恐れがあるときには、止部から識別媒体をを取り出しておくことにより不正なアクセスを防止することができる。更に、識別媒体を取り付けたファスナーが被着体と共に洗濯される時、ファスナーから識別媒体を取り外しておくことで、洗濯中に無線ＩＣチップが破損するのを防止することができる。【００７３】  この発明の第５の基本的な構成によれば、ファスナーの固着手段に識別媒体を取り付けることができる。ファスナーとしては、スライドファスナー、面ファスナー、スナップボタンファスナー、レール状ファスナー等があげられ、これらファスナーの固着手段に識別媒体を取り付けることができる。【００７４】  この発明の第６の基本的な構成によれば、スライドファスナーのファスナーエレメントに識別媒体を取り付けることができる。ファスナーエレメントの少なくとも一つに識別媒体を取り付けることができ、複数のファスナーエレメントに各々識別媒体を取り付けることができる。【００７５】  この発明の第７及び８の基本的な構成によれば、スライダー又は引き手に対して着脱自在に取り付けられる装飾部材に識別媒体を取り付けることができる。識別媒体が無線ＩＣチップである場合に、無線ＩＣチップの取り付けに当たっては、アンテナと一緒に前記各部材に無線ＩＣチップ及びアンテナ挿入用の穴部を形成して、同穴部に無線ＩＣチップ等を着脱自在に嵌入することで取り付けることがでる。また、スライドファスナーの各構成部材のいずれかに無線ＩＣチップとアンテナとを内蔵させることで、スライドファスナーの製造工程において無線ＩＣチップとアンテナとを同時にスライドファスナーに組み込むこともできる。【００７６】  更に、スライドファスナーの各構成部材のいずれかに無線ＩＣチップとアンテナとを着脱自在に嵌入する穴部を形成しておくことにより、読取装置から無線ＩＣチップのデータを不正に読み取られる恐れがあるときや、不正に書き込まれる恐れがあるときには、穴部から無線ＩＣチップとアンテナとを取り出しておくとにより防止することができる。
なお、無線ＩＣチップとアンテナとに代えて、接触式ＩＣチップを用いることもできる。【００７７】  この発明の第９の基本的な構成では、ファスナーが無線ＩＣチップ、電源電池及びアンテナを有しているので、読取装置からの信号で起電力を発生させる必要がなく、アンテナの構成をループ状に形成することは必ずしも必要とはしない。しかし、ループ状に形成したアンテナを用いることは可能である。【００７８】  ループ状に形成したアンテナを用いた場合には、ファスナーに取り付けた無線ＩＣチップにアクティブタイプとパッシブタイプ双方の機能を併せ持たせ、電源によって少なくとも数年は有電起動機能を備えさせることができるようになる。これにより、製造や販売段階での無線ＩＣチップからの電波が所定範囲内に亘って安定した状態で読取装置により受信することができるようになり、電源の寿命後には読取装置側からの信号に応じて発信する機能を維持させることができるようになる。【００７９】  更に、アクティブタイプの無線ＩＣチップとパッシブタイプの無線ＩＣチップとをファスナーに取り付け、双方の無線ＩＣチップを同期させて、あるいは一方のみの無線ＩＣチップを選択的に作動させることができる。これにより、アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようになる。【００８０】  ファスナーに無線ＩＣチップの電源電池が取り付けられているため、アンテナから送信する電磁波の強さを電源電池の設置数等により調整することが可能となり、所望の出力をアンテナから出力させることが可能となる。これにより、ファスナーにアンテナを配したことと相俟って広範囲の領域において無線ＩＣチップと読取装置間で信号の送受信を行うことができるようになる。【００８１】  スライドファスナーのように左右に分離できるファスナーテープにおいては、一方のファスナーテープに電源電池を取り付け、他方のファスナーテープに無線ＩＣチップを取り付けた構成とすることができる。この場合においては、両ファスナーテープを開離させる開離嵌挿具にスイッチ機構を形成することで、開離嵌挿具の嵌合時にはスイッチをＯＮさせて電源電池の電流・電圧を無線ＩＣチップに供給し、開離嵌挿具の離間時にはスイッチがＯＦＦさせて電源電池からの電流・電圧を無線ＩＣチップに供給するのを停止することができる。これにより、開離嵌挿具の嵌合及び離間操作で無線ＩＣチップの動作をＯＮ・ＯＦＦ制御することができるようになる。【００８２】  スナップボタンの雄雌部材の一方に無線ＩＣチップ及びアンテナを取り付けた場合には、他方の部材に電源電池を取り付け、雄雌部材の係合により電源電池と無線ＩＣチップとの接続を行わせ、雄雌部材の離間ときには電源電池と無線ＩＣチップとの遮断を行わせるように、雄雌部材間にスイッチ機構を構成することができる。【００８３】  これらのファスナーに無線ＩＣチップとアンテナとを取り付けることにより、無線ＩＣチップとアンテナとを特別な取り付け作業を行わずにベルト等の���記ファスナーと共同して使用する部材に自動的に設置することができるようになる。【００８４】  この発明の第１０の基本的な構成によれば、導電性金属板等から構成できる遮蔽材を無線ＩＣチップやアンテナを覆う部位に配し、しかも、遮蔽材をファスナーに着脱自在に取着させることができる。遮蔽材で無線ＩＣチップやアンテナを遮蔽することにより、読取装置との間での信号の接受を禁止することができ、無線ＩＣチップに格納されたデータに不正なアクセスが行われないようにして、セキュリティを高めることができるようになる。また、同様に読取装置から改ざんされたデータ等が無線ＩＣチップに格納されるのを防止することができるようになる。【００８５】  遮蔽材としては、金属板、金属製の網、導電性材を含有した樹脂等を用いて形成することができる。【００８６】  この発明の第１１の基本的な構成によれば、識別媒体を被覆する面ファスナーに着脱自在な遮蔽材を設けることにより、任意に遮蔽材で識別媒体を遮蔽することが可能となり、読取装置との間での信号の接受を禁止することができ、識別媒体が有する各種のデータに不正なアクセスが行われないようにして、セキュリティを高めることができるようになる。また、同様に読取装置から改ざんされたデータ等が識別媒体に格納されるのを防止することができるようになる。また、識別媒体は、結果的に面ファスナーの係合面間に狭持される構成となるので、識別媒体を単に面ファスナーの係合面上に載置したり、埋め込み又は添加するだけで識別媒体を面ファスナーに容易に取り付けることができる。【００８７】  この発明の第１２の基本な構成では、被着体に無線ＩＣチップ用のアンテナ又は信号線と必要に応じて各種センサとを配し、同信号線を介して各種センサを無線ＩＣチップと接続することができる。また、アンテナと無線ＩＣチップとを接続することができる。これらの接続に当たって、ファスナーのテープに配した導電性材或いは導電性繊維材を介して接続することができる。【００８８】  被着体に被着したファスナーが有する無線ＩＣチップと読取装置との間で信号を接受することで、被着体の真贋判定や被着体の商品管理等を行うことができるようになる。しかも、被着体にアンテナを有しているため読取装置との距離が長くなっても信号の接受を行うことができるようになる。【００８９】  このため、例えば、血圧計のセンサを取り付けた被着体を被着した人を所定時間毎や異常血圧を示したときなど、予め無線ＩＣチップに血圧計を測定する検出条件を設定しておいた検出条件に基づいて血圧の測定を行い、その検出結果を無線ＩＣチップのメモリに記憶しておくことができる。しかも、各種センサと無線ＩＣチップとの接続は、信号線を介して行い、記憶した検出結果を予め設定した条件に基づいて読取装置に送信するのをアンテナを介して行うことができるようになる。【００９０】  また、ファスナーを取り付けるだけで衣服等に無線ＩＣチップを取り付けることが可能となるので、例えば、衣服の洗濯中において洗濯機に対して自動的に洗い方を指示することなどが可能となる。また、衣服に温度センサを付けておけば、同衣服を着ている人の体温を検出して同検出した体温をエアコンに無線ＩＣチップ��ら送信することで、温度を自動的に調整することもできるようになる。【００９１】  あるいは、徘徊患者の衣服に位置センサを取り付けておけば、徘徊患者の現在位置をオンタイムで監視することなどが可能となる。このように、被着体に無線ＩＣチップ及びアンテナを有するファスナーを取り付けるだけで、被着体に取り付けた各種センサからの検出信号を様々な形で取り出して有効利用することができるようになる。【００９２】  この発明の第１３の基本的な構成にあって、無線ＩＣチップを取り付けたファスナーとしては、スライドファスナー、面ファスナー、スナップファスナー、レールファスナー、バックル、コードストッパー、ナスカン、スナップボタン、ベルトアジャスター等を用いることができる。【００９３】  この発明では、被着体に無線ＩＣチップを遮蔽する被着体が設けられているので、遮蔽材の大きさを無線ＩＣチップやアンテナまでも覆うことのできる大きさとすることができる。遮蔽材としては、金属板、金属製の網、導電性材を含有した樹脂等を用いて形成することができる。遮断材により、アンテナの送受信を禁止して、無線ＩＣチップのセキュリティを保つこともできる。また、無線ＩＣチップ又はアンテナを必要な時に遮蔽材で覆うことができるので、現在の居場所を送信できなくすることもでき、個人のプライバシーを守ることも可能となる。【００９４】  この発明の第１４の基本的な構成によれば、ファスナーに識別媒体を着脱自在に取り付けているため、不正アクセスの防止や所望のデータを格納した識別媒体の交換等が容易に行うことができるようになる。これにより、識別媒体に対するセキュリティを高めることができるようになり、読取装置から改ざんされたデータ等が識別媒体に移されることを防止することができるようになる。【００９５】  また、例えば無線ＩＣチップ又は接触式ＩＣチップを取り付けたファスナーが被着体と共に洗濯される時、ファスナーからＩＣチップを取り外しておくことで、洗濯中にＩＣチップが破損するのを防止することができる。ＩＣチップをファスナー内に内蔵する場合には、ＩＣチップを内蔵するファスナーの部材を電磁透過性を有するエステル、ポリアセタール、ポリエチレンテレフタレート等の低透磁率部材、例えばナイロン、ポリ合成樹脂材で形成しておくことが望ましい。
【図面の簡単な説明】
【００９６】［図１］図１は第１の実施形態の無線ＩＣチップの配置位置を示す図である。
［図２］図２は、図１における縦断面図である。
［図３］図３は、無線ＩＣチップとアンテナ線または信号線の配置位置を示す図である。
［図４］図４は、面ファスナーに無線ＩＣチップを取り付けた例を示す図である。
［図５］図５は、面ファスナーに無線ＩＣチップを取り付けた変形例を示す図である。
［図６］図６は、スナップファスナーに無線ＩＣチップを取り付けた例を示す図である。
［図７］図７は、レール状ファスナーに無線ＩＣチップを取り付けた例を示す図である。
［図８］図８は、第２の実施形態の無線ＩＣチップを下止部近傍に配した例を示す図である。
［図９］図９は、第２の実施形態の変形例を示す図である。
［図１０］図１０は、第２の実施形態の他の変形例を示す図である。
［図１１］図１１は、第２の実施形態で電源電池を取り付けた例を示す図である。
［図１２］図１２は、第２の実施形態で電源電池を取り付けた変形例を示す図である。
［図１３］図１３は、第２の実施形態で電源電池を取り付けた他の変形例を示す図である。
［図１４］図１４は、図１３のスイッチ機構を説明する図である。
［図１５］図１５は、無線ＩＣチップを着脱自在に取り付けた例を示す図である。
［図１６］図１６は、無線ＩＣチップを着脱自在に取り付けた変形例を示す図である。
［図１７］図１７は、無線ＩＣチップを着脱自在に取り付けた他の変形例を示す図である。
［図１８］図１８は、無線ＩＣチップを着脱自在に取り付けた別の変形例を示す図である。
［図１９］図１９は、導電性繊維材を織糸として用いた例を示す図である。
［図２０］図２０は、導電性繊維材を織糸として用いた変形例を示す図である。
［図２１］図２１は、導電性繊維材を編糸として用いた例を示す図である。
［図２２］図２２は、導電材をファスナーテープに取り付けた例を示す図である。
［図２３］図２３は、導電材をファスナーテープに取り付けた変形例を示す図である。
［図２４］図２４は、導電材をファスナーテープに埋め込んだ例を示す図である。
［図２５］図２５は、エレメントに無線ＩＣチップを設け、導電性繊維材を芯紐に設けた例を示す図である。
［図２６］図２６は、アンテナ機能を持たせたファスナーエレメントがコイル状であることを示す部分拡大図である。
［図２７］図２７は、アンテナ機能を持たせたファスナーエレメントがジグザグ状であることを示す部分拡大図である。
［図２８］図２８は、上止部に無線ＩＣチップを取り付けた例を示す図である。
［図２９］図２９は、下止部に無線ＩＣチップを取り付けた例を示す図である。
［図３０］図３０は、下止部に無線ＩＣチップを取り付けた変形例を示す図である。
［図３１］図３１は、スライダーに無線ＩＣチップを取り付けた例を示す図である。
［図３２］図３２は、装飾部材に接触式ＩＣチップを取り付けた例を示す図である。
［図３３］図３３は、装飾部材に無線ＩＣチップを取り付けた変形例を示す図である。
［図３４］図３４は、着脱式の引き手に無線ＩＣチップを取り付けた例を示す図である。
［図３５］図３５は、着脱式の引き手に無線ＩＣチップを取り付けた変形例を示す図である。
［図３６］図３６は、バックルに無線ＩＣチップを取り付けた例を示す図である。
［図３７］図３７は、ベルトアジャスターに接触式ＩＣチップを取り付けた例を示す図である。
［図３８］図３８は、ナスカンにプラゲノム（登録商標）を取り付けた例を示す図である。
［図３９］図３９は、コードストッパーに無線ＩＣチップを取り付けた例を示す図である。
［図４０］図４０は、コードストッパーに無線ＩＣチップを取り付けた変形例を示す図である。
［図４１］図４１は、コードストッパーと被着体との関係を示す図である。
［図４２］図４２は、スナップボタンに無線ＩＣチップを取り付けた例を示す図である。
［図４３］図４３は、遮蔽材を配した例を示す図である。
［図４４］図４４は、遮蔽材を配した変形例を示す図である。
［図４５］図４５は、遮蔽材を配した他の変形例を示す図である。
［図４６］図４６は、遮蔽材を配した別の変形例を示す図である。
［図４７］図４７は、被着体に無線ＩＣチップを有するスライドファスナーを被着した例を示す図である。
［図４８］図４８は、被着体に無線ＩＣチップを有するスライドファスナーを被着した変形例を示す図である。
［図４９］図４９は、被着体に無線ＩＣチップを有するスライドファスナーを被着した他の変形例を示す図である。
［図５０］図５０は、被着体に無線ＩＣチップを有するスライドファスナーを被着した別の変形例を示す図である。
［図５１］図５１は、従来例を示す図である。
［図５２］図５２は、他の従来例を示す図である。
［図５３］図５３は、図５２の断面図である。
【符号の説明】
【００９７】  １            スライドファスナー
２            エレメント
２ａ          穴部
３            引き手
４            ファスナーテープ
５            上止部
６            下止部
６ａ          穴部
７            エレメント
８            補強テープ
９            蝶棒
１０            箱棒
１１            芯紐
１２            導電性繊維材
１３            導電材
１５            開離嵌挿具
２０            識別媒体（無線ＩＣチップ、接触式ＩＣチップ、その他）
２１            アンテナ
２２            電源電池
２３            信号線
２４            読取装置
２５            被着体
２６            縫製ライン
２７ａ、２７ｂ  係合部
２８            センサ
２９            信号線
３０            面ファスナー
３１            スナップファスナー
３２ａ          スナップファスナーのテープ
３３            レール状ファスナー
３３ａ          レール状ファスナーのテープ
３５            ベルト
３６            バックル
３６ａ          雄部材
３６ｂ          雌部材
３６ｃ          収納部
３７            ベルトアジャスター
３８            ナスカン
３８ａ          穴部
３９            コードストッパー
３９ａ          紐
３９ｂ          蓋
４０            スナップボタン
４０ａ          雌ボタン
４０ｂ          雄ボタン
４０ｃ          蓋
４５            遮蔽材
４６            太陽電池
５１            引手本体
５２            埋込孔
５３            コイルアンテナ
５４            ＩＣチップ
５５            ガラス管
５６            送受信用スリット
６１            縫止脚
６２            ボタン本体
６４            リング状の凹所
６５            らせん状コイルアンテナ
６６            無線ＩＣチップ
【発明を実施するための最良の形態】
【００９８】  以下、本発明の好適な実施の形態を添付図面に基づいて具体的に説明する。本発明におけるファスナーとしては、例えばカバン、スポーツウェアその他の各種の衣類の留め具として、例えばスライドファスナー、面ファスナー、テープ付きスナップファスナー、レール状ファスナー、バックル、コードストッパー、ベルトアジャスター、ナスカン、スナップボタンなどの各種ファスナーを含んでいる。以下の実施形態にあっては、前述のファスナーに対して無線ＩＣチップ及びアンテナとを有するＩＤタグの配置構成やＩＤタグにおけるアンテナ構造を主要な特徴部として説明しているが、本発明は前記無線ＩＣチップ及びアンテナなどの識別媒体に限らず、例えば既述したとおり識別手段を有する添加物とその添加物を含有する識別情報保持物、同じく識別手段を有する秘密情報が埋め込まれた文字や図形などの識別媒体を採用することができる。【００９９】  本実施形態に適用されるＩＤタグの曲型的な態様としは、識別対象物の識別情報などのデータを格納するメモリを備えた無線ＩＣチップとアンテナとが互いに電気的に接続されて応答回路を構成している。その応答回路として、無線ＩＣチップには、例えば検出回路、電源回路、制御回路、メモリ回路、変調回路、発振回路等が組み込まれている。【０１００】  更に本発明にあっては、外部からの電磁誘導などにより各回路に電力を供給する無電池式のＩＤタグ、あるいは電源として電池を内蔵した電源内蔵型のＩＤタグを含んでいる。このため、上記電源回路としては、電源電池を無線ＩＣチップと取り付け側に配されている場合における電源回路と、外部にある読取装置からの送信信号をループ状のアンテナで受信したときに、ループ状のアンテナにより前記送信信号の電磁波から発生させた起電力を利用する電源回路とをそれぞれ意味しているものである。【０１０１】  また、本発明における無線ＩＣチップは、読取装置からの送信信号により無線ＩＣチップ内のメモリに格納しているデータを取り出して読取措置に応答信号として送信するもの、読取装置からの送信信号により無線ＩＣチップ内のメモリに格納しているデータやプログラムの書き換えや更新等を行うことができるもの、更には無線ＩＣチップ内の制御装置がプログラムに基づいて自動的にメモリ内に格納したデータ等を読取装置に送信することのできるもの等の各種制御形態を行い得る無線ＩＣチップとして構成されているものである。【０１０２】  本発明における無線ＩＣチップの構成は上述の構成及び以下に説明する構成に限定されるものではなく、多様な変更が可能である。【０１０３】  図１は本発明の代表的な第１の実施形態であり、スライドファスナーに取着される無線ＩＣチップ及びアンテナとを有するＩＤタグの配置位置を模式的に示す概略斜視図である。図２は同スライドファスナーの縦断面図を示している。図３は同スライドファスナーに取着される無線ＩＣチップとファスナーテープに形成したアンテナ線または信号線の配置位置を模式的に示す概略斜視図である。【０１０４】  図１において、符号１は例えば衣服やカバン等の被着体２５に縫製により被着されたスライドファスナーを示しており、ファスナーテープ４には、複数のエレメント２、上���部２、開離嵌挿具１５、蝶棒９、箱棒１０、スライダー２、引き手３、補強テープ８等が取り付けられている。【０１０５】  ファスナーテープとしては、例えば合成樹脂繊維を織成又は編成された繊維テープ状の基布、不織布、合成樹脂製シートなどから構成される。ファスナーエレメントとしては、合成樹脂製モノフィラメントをコイル状に巻回してなるコイル状エレメント、平面内に横方向にＵ字形に屈曲した部分を長手方向に沿って上下交互に連続してジグザグ状に形成したジグザグ状エレメントなどの連続状エレメント等から構成される。このことは、上述のスライダー、上下止具、補強用シート状部材、開離嵌挿具についても同様であり、その太さや材質及び構造なども様々に変更が可能である。【０１０６】  被着体２５に被着されて被覆されるファスナーテープ４の縁部寄りの部位には、無線ＩＣチップ２０が取り付けられている。無線ＩＣチップ２０は貼着、接着、溶着或いは射出等の適宜の取り付け手段を用いることによりファスナーテープ４に取り付けることができる。また、無線ＩＣチップ２０には図示せぬアンテナが無線ＩＣチップ２０と一体に形成されている。【０１０７】  図２に示すように無線ＩＣチップ２０は、図４７に示す外部の読取装置２４との間で信号の送受信を行うアンテナとともに、被着体２５の縫製ライン２６に沿ってスライドファスナー１を縫い付けることで目視できない状態に配置することができる。【０１０８】  これにより、読取装置からの送信信号で無線ＩＣチップに格納したデータを呼び出すことができ、無線ＩＣチップ２０は、スライドファスナー１を単独で使用するときにはスライドファスナー１の商品管理や真贋判別用等の識別装置として機能させることができる。また、同スライドファスナー１をバックや衣服等の被着体２５に被着したときには、オリジナル製品としての被着体２５の真贋判断用や商品管理等の識別装置として機能させることができる。また、必要に応じて読取装置からの送信信号により無線ＩＣチップに格納されているデータやプログラムの修正、更正等を行うことができる。【０１０９】  図１に示すものでは無線ＩＣチップ２０には無線ＩＣチップを作動させる電源を有しておらず、読取装置からの送信信号により発生させた図示せぬアンテナによる起電力で無線ＩＣチップを作動させることができる。【０１１０】  図３に示すスライドファスナー１では、ファスナーテープ４として、例えば合成樹脂繊維を織成又は編成された繊維テープ状の基布に、織糸又は編み糸として導電性繊維材１２を織成又は編成したものである。他の構成は図１における構成と同じであるので図１で用いたと同じ符号を用いることでその説明に代えることとする。【０１１１】  図３における導電性繊維材１２は、図１９〜２１に示すように導電性繊維材１２は織糸又は編糸として、ファスナーテープ４の基布の織成又は編成と同時に織成又は編成することができる。導電性繊維材１２は、被着体２５に取り付けた図示せぬセンサ等と無線ＩＣチップ２０とを連結する信号線として使用することも、無線ＩＣチップ２０のアンテナとして使用することもできる。図１９〜２１においては、織目、編目を分かり易くするために誇張して拡大した状態を示してい��ものである。【０１１２】  図３における導電性繊維材１２の代わりに、図２２〜図２４に示すような金属薄板、導電性樹脂等から構成される導電材１３をファスナーテープ４の面に貼着、接着、溶着、テープ３３ａとの一体成形、又は導電性塗料を塗着する印刷等の各種取付手段により取り付けることもできる。なお、図２２は導電性塗料による印刷の例を示し、図２３は導電材１３の貼着、接着、溶着の例を示している。又図２４は導電材１３を埋め込んで一体成形した例を示している。図２４では、レール状ファスナー３３を示しているが、ファスナーテープ４をレール状ファスナー３３のテープ３３ａと同様に樹脂の一体成形で形成するときには図２４におけるテープと同様の構成を取ることができるものである。導電材１３のファスナーテープ４への取り付けは、導電材１３と無線ＩＣチップ２０との接続が担保されれば、ファスナーテープの表面、裏面を問わずどちらの面にも形成することができる。【０１１３】  導電性繊維材１２や導電材１３を無線ＩＣチップ２０のアンテナとして機能させるときには、一端を無線ＩＣチップに連結し、他端を開放した１本のアンテナ線として形成することも、一端をそれぞれ無線ＩＣチップに連結すると共に、それぞれの他端を開放した２本のアンテナ線として形成することもできる。また、２本のアンテナ線の前記他端同士を連結したアンテナ或いは両端が無線ＩＣチップに連結し、中間部をループ状となるように配したアンテナ線として形成することもできる。【０１１４】  本発明においては、フレキシブルワイヤー等の金属線も導電性繊維材１２における１つの形態として含まれるものである。【０１１５】  センサ等と無線ＩＣチップとを連結する信号線として導電性繊維材１２を用いるときには、お互いに短絡していない２本の導電性繊維材を用いて信号線として機能させることができる。導電性繊維材１２と導電材１３との組合せによりアンテナ線や信号線を形成することができる。【０１１６】  無線ＩＣチップ２０は、図１に示すように一方のファスナーテープ４に取り付けることも、図３に示すように両方のファスナーテープ４に取り付けることもできる。【０１１７】  図４は、面ファスナー３０のテープ３０ａに無線ＩＣチップ２０を取り付けたものを示している。無線ＩＣチップ２０には、図示せぬアンテナが一体に形成されている。図４（ｂ）に示すように面ファスナー３０のテープ３０ａを被着体２５に縫製等により被着することで、無線ＩＣチップ２０の取り付け状態が外部から目視できない状態とすることができる。【０１１８】  無線ＩＣチップ２０のテープ３０ａへの取り付けは、貼着、接着、溶着、面ファスナーの成形時に一体成形して取り付けるなど適宜の取り付け手段を採用することができる。また、アンテナは、無線ＩＣチップ２０と一体に形成することも、面ファスナー３０のテープ３０ａ上に導電体や導電性樹脂等を用いて形成することもできる。【０１１９】  図５は面ファスナーを用いたバンドを示している。バンドは長尺なテープ状の面ファスナー３０と、短尺なテープ片状の面ファスナー３０ａとから構成され、面ファスナー３０ａの一端が面ファスナー３０の長手方向の中間位置に固定されている。面ファスナー３０���両端には係脱可能な多数の雄又は雌係合素子が起立する係合部が設けられ、双方の係合部を係合させることで、バンドをリング状にすることができる。また、面ファスナー３０と面ファスナー３０ａの対向面にも係脱可能な多数の雄又は雌係合素子が起立する係合面が設けられている。【０１２０】  無線ＩＣチップ２０を面ファスナー３０の係合面間に配置させることで、面ファスナーに取り付けることができる。無線ＩＣチップ２０には、図示せぬアンテナが一体に形成されている。このときには、無線ＩＣチップ２０を狭持している面ファスナーを開放することで、無線ＩＣチップ２０を面ファスナー３０に対して着脱自在とすることができる。これにより、面ファスナー３０から無線ＩＣチップ２０を取り外すだけで読取装置からの読取を行い得えない状態とすることができ、無線ＩＣチップ２０への不正アクセス等を防止することができる。【０１２１】  また、面ファスナー３０の係合面に無線ＩＣチップ２０を固定し、無線ＩＣチップ２０を被覆可能な面ファスナー３０ａに遮蔽材を設けることにより、面ファスナー３０ａで無線ＩＣチップ２０を被覆しない場合に、無線ＩＣチップ２０と外部の読取装置間とが交信して信号の接受を可能とし、面ファスナー３０ａが無線ＩＣチップ２０又は同無線ＩＣチップ２０のアンテナ２１を被覆する場合に、遮蔽材が無線ＩＣチップ２０と読取装置間での信号の接受を禁止させることもできる。【０１２２】  無線ＩＣチップ２０を面ファスナー３０から着脱自在としたことにより、面ファスナー２０を被着した被着体２５を洗濯する際に、無線ＩＣチップ２０を面ファスナー３０から取り外した状態で洗濯を行うことができるようになる。又、個人のプライバシーを守る必要が生じたときにも、無線ＩＣチップを面ファスナーから容易に取り外すことができる。【０１２３】  図６（ａ）はスナップファスナー３１のテープ３１ａに無線ＩＣチップ２０を取り付けた例であり、無線ＩＣチップ２０には、図示せぬアンテナが一体に形成されている。図６（ｂ）に示すようにスナップファスナー３１のテープ３２ａを被着体２５に縫製、接着、溶着等により被着することで、無線ＩＣチップ２０の取り付け状態が外部から目視できない状態とすることができる。無線ＩＣチップ２０のテープ３２ａへの取り付けは、貼着、接着、溶着、テープ３２ａの成形時に一体成形して取り付けるなど適宜の取り付け手段を採用することができる。【０１２４】  図示例によるスナップファスナーは、例えば織成又は編成により得られる繊維テープ状基布に所定の間隔をもって基布中央の長手方向に沿って穿設した複数の取付孔を介して、その表裏面に雄スナップボタン３２ｂを一体成形して得られる雄係合部材と相手方の繊維テープ状基布の取付孔を介して多数の雌スナップボタン３２ｃを一体成形して得られる雌係合部材とから構成されている。【０１２５】  図７（ａ）は係合条片３３ｂを有するレール状ファスナー３３のテープ３３ａに無線ＩＣチップ２０を取り付けた例である。無線ＩＣチップ２０には、図示せぬアンテナが一体に形成されている。図７（ｂ）に示すようにレール状ファスナー３３のテープ３３ａを被着体２５に縫製、接着、溶着等により被着することで、無線Ｉ���チップ２０の取り付け状態が外部から目視できない状態とすることができる。無線ＩＣチップ２０のテープ３３ａの取り付けは、貼着、接着、溶着、テープ３３ａの成形時に一体成形して取り付けるなど適宜の取り付け手段を採用することができる。【０１２６】  図８〜図１８は、本発明の代表的な第２の実施形態を示すものであり、ファスナーとしてスライドファスナー１を用いたものである。無線ＩＣチップ２０はファスナーテープ４の開離嵌挿具１５の近傍に配されている構成を除いて、基本的には上述の第１の実施形態におけるスライドファスナー１と同じ構成を備えている。そのため、第１の実施形態において用いたと同じ符号を用いることで、当該部材の説明を省略することとする。【０１２７】  無線ＩＣチップ２０は、ファスナーテープ４の下端部に接着層を介して溶着されている補強テープ８内又は補強テープ８の上面に、接着、貼付、溶着等の手段により取り付けられている。また、導電性繊維材１２がファスナーテープ４の織成又は編成と同時に織成又は編成により取り付けて使用することもできる。【０１２８】  導電性繊維材１２の代わりに導電材を用いて、上記第１の実施形態で説明したようにファスナーテープ４に取り付けることもできる。【０１２９】  導電性繊維材１２や導電材１３を無線ＩＣチップ２０のアンテナ線２１や信号線２３として機能させるときには、一端を無線ＩＣチップに連結し、他端を開放した１本のアンテナ線２１や信号線２３として形成することができる。一端をそれぞれ無線ＩＣチップに連結すると共に、それぞれの他端を開放した２本のアンテナ線２１や信号線２３として形成することもできる。また、前記２本のアンテナ線２１における他端同士を連結し、一端をそれぞれ無線ＩＣチップに連結したり、両端を無線ＩＣチップに連結したアンテナ線の中間部をループ状となるように配することで、ループ状のアンテナ線を形成することもできる。【０１３０】  本発明においては、フレキシブルワイヤー等の金属線も導電性繊維材１２における１つの形態として含まれているものである。【０１３１】  図９は、ファスナーエレメント１４及び／又は芯紐を構成する少なくとも１つの導電性繊維材１２を無線ＩＣチップ２０のアンテナとしても機能させている例を示している。図２６、図２７に示すように、ファスナーエレメント１４を構成する導電性樹脂モノフィラメントをコイル状、ジグザグ状に曲げて形成し、ファスナーエレメント１４の一端と無線ＩＣチップ２０とを信号線２３で接続することにより、ファスナーエレメント１４をアンテナとしての機能を持たせることができる。【０１３２】  或いは、図２５（ａ）に示すように芯紐１１を構成する繊維の一部に導電性繊維材１２を配し、同導電性繊維材１２をアンテナとしての機能も備えさせることもできる。更には、ファスナーエレメント１４を構成する導電性樹脂モノフィラメントをコイル状に曲げて形成し、アンテナとしての機能を持たせると共に芯紐１１を構成する繊維の少なくとも一部に導電性繊維材１２を配することで、芯紐１１を導電性樹脂モノフィラメントにおける磁芯部材としての機能を持たせることもできる。【０１３３】  ファスナーエレメント１４の他端を図８に示す導電性繊維材１２の他端と接続してループ状のアンテナとして機能させることもできる。信号線２３は導電性繊維材等の導電性線状材を用いることができ、ファスナーテープ４の織成及び／又は編成と同時に形成することもできる。あるいは、ファスナーエレメント１４に電気的に接続している蝶棒９または箱棒１０を導電性材から構成し、同蝶棒９または箱棒１０に信号線２３電気的に接続させることもできる。【０１３４】  図１０は、一対のファスナーテープ４のそれぞれに無線ＩＣチップ２０及びアンテナ２１を取り付けた例を示しているものであり、無線ＩＣチップ２０及びアンテナ２１を下止部６の近傍におけるファスナーテープ４に取り付け、補強テープ８で被覆している状態を示している。２つの無線ＩＣチップ２０には、それぞれ異なるデータや異なる制御機能を持たせることができる。無線ＩＣチップ２０は、補強テープ８で被覆する代わりに補強テープ８上に接着等の適宜の手段で取り付けることもできる。【０１３５】  また、一方の無線ＩＣチップを電源電池を有するアクティブタイプに構成し、他方の無線ＩＣチップを電源電池を有さないパッシブタイプに構成することもできる。このとき、双方の無線ＩＣチップを同期させて、あるいは一方のみの無線ＩＣチップを選択的に作動させることができるようにする。アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようになる。【０１３６】  図１１、１２は、図９の例において無線ＩＣチップ２０用の電源電池２２を設けた例を示している。電源電池２２と無線ＩＣチップ２０とは信号線２３により電気的に接続されて、電源電池２２の電流・電圧を無線ＩＣチップ２０に供給できる構成となっている。電源電池２２、信号線２３及び無線ＩＣチップ２０とは補強テープ８で被覆すると共に、補強テープ８を介してファスナーテープ４に取り付けることができる。また、電源電池２２や無線ＩＣチップ２０を補強テープ８上に取り付けることもできる。【０１３７】  特に、電源電池２２を補強テープ８上に着脱自在に取り付け、電源電池２２にスイッチ機能を持たせることにより、電源電池２２を押圧するなどしてスイッチ機構を作動させる操作を行うことで、必要な時のみ無線ＩＣチップ２０を作動させることができる。【０１３８】  電源電池２２としては、スイッチ機能を備えたケース等内に収納配置し、同ケースを補強テープ８に取り付けるように構成することができる。このため、本発明においては、電源電池２２の用語の意味として、電池そのものとして使用する場合も、スイッチ付のケース又はスイッチ機能なしのケース等に取り外し自在に収納させたケース付の場合をも含めて使用しているものである。【０１３９】  また、図１１においては、無線ＩＣチップ２０を被着体２５によって被覆させることができるので、無線ＩＣチップ２０を補強テープ上に取り付けた場合であっても、補強テープ８とファスナーテープ４間に取り付けた場合であっても、常に被着体２５で被覆された状態とすることができる。【０１４０】  図１３は、一対のファスナーテープ４のうち一方に無線ＩＣチップ２０及びアンテナ２１を取り付け、他方に電源電池２２を取り付けた例を示している。電源電池２２と無線ＩＣチップ２０とは開離嵌挿具１５を介して電気的に接続している。開離嵌挿具１５を構成する雄部材と雌部材間には電気的接続端子が形成され、図１４（ａ）に示すように前記雄部材と雌部材とを嵌合させて係合することで前記電気的接続端子同士が接触して電気的に接続した状態を形成し、図１４（ｂ）に示すように前記雄部材と雌部材との係合を解除して両者が離れると電気的接続が遮断される。【０１４１】  これにより、開離嵌挿具１５を構成する雄部材と雌部材とにスイッチ機構を持たせることができるようになる。また、電源電池２２にスイッチ機能を持たせることにより、電源電池２２を押圧等の操作でスイッチ機構を作動させることにより、必要な時のみ無線ＩＣチップ２０を作動させることができるように構成することもできる。【０１４２】  なお、図１３、１４に示す例では、アンテナ２１が無線ＩＣチップ２０と一緒に構成されている例について説明したが、アンテナ２１は必ずしも無線ＩＣチップ２０と一緒に構成されている必要はなく、ファスナーテープ４や導電性のファスナーエレメント、導電性繊維材を有する芯紐等に形成することできるものである。【０１４３】  図１５〜図１８は、無線ＩＣチップ２０をファスナーテープ４に対して着脱自在に構成した例について説明する。図１５では補強テープ８に電源電池２２と係合部２７ｂとを電気的に接続して取り付け、あわせて係合部２７ｂとアンテナとしても機能させるファスナーエレメント１４又は芯紐１１とを信号線２３で電気的に接続した例を示している。無線ＩＣチップ２０の係合部２７ａを補強テープ８に取り付けた係合部２７ｂと係合させることで電源電池付の無線ＩＣチップを形成することができる。【０１４４】  図１６はアンテナ２１を被着体２５内に形成した例を示している。この場合において、電源電池を補強テープ８に取り付けることも、アンテナ２１をループ状に形成して起電力を発生させるように構成することもできる。【０１４５】  図１７は一対のファスナーテープ４のそれぞれに無線ＩＣチップ２０とアンテナ２１とを着脱自在に構成した例を示している。また、図１８では、無線ＩＣチップ２０を補強テープ８に取り付けた係合部２７ｂと着脱自在に取り付けることができる例を示している。係合部２７ｂは信号線２３を介して導電性のファスナーエレメント１４又は導電性繊維材を有する芯紐１１内の導電性繊維材と電気的に接続している例を示している。【０１４６】  図２５（ｂ）、（ｃ）には、エレメント７内に無線ＩＣチップ２０を内蔵し、芯紐１１内に配した導電性繊維材１２と無線ＩＣチップ２０とを電気的に接続した例を示している。芯紐１１内の導電性繊維材１２をアンテナとして利用することで必要な個数の無線ＩＣチップ２０を任意のエレメント７内に取り付けることができる。エレメント７内への無線ＩＣチップ２０の取り付けは、エレメント７の成形時に一緒に組み込むことができる。【０１４７】  なお、無線ＩＣチップは各種ファスナーの固着手段に取付が可能であり、例えば、スナップ��タンファスナーであれば雄係合部材や雌係合部材の内部に無線ＩＣチップを取り付けることができる。【０１４８】  芯紐１１内の導電性繊維材１２をファスナーテープに配した導電性繊維材、導電性材とループ状に接続してアンテナを構成することもできる。【０１４９】  図２８は、上止部５に無線ＩＣチップを内蔵させた例を示しており、また、図２９は下止部６に無線ＩＣチップを内蔵させた例を示している。これらの例において、アンテナとしては、無線ＩＣチップ２０と一体に形成することも、導電性のファスナーエレメント、導電性繊維材を有する芯紐等を利用することもできる。なお、図示例では上下止部５，６に無線ＩＣチップを内蔵させた例を示したが、識別媒体として無線ＩＣチップに代えて、希土類元素を樹脂に混入させたプラゲノム（登録商標）を用いることもできる。【０１５０】  図３０は、下止部６に無線ＩＣチップ２０を着脱自在に嵌入させることのできる穴部６ａを形成した例を示している。無線ＩＣチップ２０のアンテナは、無線ＩＣチップ２０と一体に形成することも、導電性のファスナーエレメント、導電性繊維材を有する芯紐等を利用することもできる。無線ＩＣチップ２０を穴部６ａから着脱させることで、読取装置との間での通信を行いたくないときには、いつでも穴部６ａから無線Ｉｃチップを取り出すことができるようになる。【０１５１】  図３１は、スライダー２に無線ＩＣチップ２０を着脱自在に嵌入させることのできる穴部２ａを形成した例を示している。無線ＩＣチップ２０のアンテナは、無線ＩＣチップ２０と一体に形成することで形成することができる。無線ＩＣチップ２０を穴部２ａから着脱させることで、読取装置との間での通信を行いたくないときには、いつでも穴部２ａから無線ＩＣチップを取り出すことができるようになる。【０１５２】  図３２は、引き手３に着脱自在に取り付けることのできる装飾体１９に接触式ＩＣチップ２０を取り付けた例を示している。接触式ＩＣチップ２０は装飾体１９の内部に配され、その一部が装飾体１９の表面に形成した開口部から露呈している。リーダー／ライターを開口部からＩＣチップに接触させることによって交信が可能となり、データの読み取りや書き込みを行うことができる。装飾体１９は内部に引き手３に挿入嵌合させることができる。【０１５３】  また、図３３は、引き手３に着脱自在に取り付けることのできる装飾体１９にアンテナ付の無線ＩＣチップ２０を取り付けた例を示している。無線ＩＣチップ２０は装飾体１９の内部に配され、その全周囲が被覆されている。装飾体１９は係合頭部を有し、引き手３に形成した係合孔部にスナップボタン式に係合させることができる。【０１５４】  図３４、図３５はスライダー２に対して着脱自在の引き手３に無線ＩＣチップ２０、アンテナ２１を内蔵させた例を示している。引き手３がスライダーに対して着脱自在となっているため、読取装置との間で送受信を行わせたくないときには、いつでも引き手３をスライダー２から外すことができ、無線ＩＣチップ２０に対する不正アクセス等を防止することができる。また、前記引き手３に無線ＩＣチップ２０とアンテナ２１とを内蔵させる代わりに、希土類元素を樹脂に混入させた所謂プラゲノム（登録商標）を添加した樹脂成形体に成形し、これを識別媒体として引き手３の一部に装着一体化形させることもできる。【０１５５】  図３６は、バックル３６にアンテナを有する無線ＩＣチップを収納したもので、雄部材３６ａに形成した収納部３６ｃにアンテナを有する無線ＩＣチップ２０を嵌合状態で収納したもので、マイナスドライバー等を用いることにより無線ＩＣチップ２０を収納部３６ｃから取り外すことができる。必要に応じて接着剤等を用いて無線ＩＣチップ２０を収納部３６ｃに内蔵させることもできる。図３６（ｂ）は、雄部材３６ａと雌部材３６ｂとを係合させた状態を示しており、同図から分かるとおり、雄部材３６ａと雌部材３６ｂとを係合させた状態では、無線ＩＣチップ２０が外部に露呈することが防止される。【０１５６】  図３７（ａ）、（ｂ）は、ベルトアジャスター３７に接触式ＩＣチップを取り付けた例を示している。ベルトアジャスター３７に形成した穴部３７ａの内周面には凹部が形成され、接触式ＩＣチップ２０の外周部に形成した凸部と前記凹部とを係合させることで接触式ＩＣチップ２０を着脱可能に取り付けることができる。接触式ＩＣチップとの交信は、ベルトアジャスター３７の表面から露呈して配されたＩＣチップにリーダー／ライターを接触させることで、データの読み取りや書き込みを行うことができる。【０１５７】  識別媒体としては、前述した無線ＩＣチップや接触式ＩＣチップに代えて、既述したとおり希土類元素を樹脂に混入させたプラゲノム（登録商標）を用いることもできる。紫外線を照射することにより発光スペクトルを生じ、希土類元素の種類や添加量等の変化に対応した特定波長の周波数を情報として検出することができる。図３８は、ナスカン３８に上記プラゲノム（登録商標）を添加した樹脂成形体を識別媒体２０として取り付けた例を示している。ナスカン３８に形成した穴部３８ａに識別媒体２０を着脱可能に嵌入させることができる。符号３５は、長さ調整自在に取り付けられたベルトである。【０１５８】  図３９は、コードストッパー３９に無線ＩＣチップ２０を取り付けた例を示している。コードストッパー３９本体に螺合した蓋３９ｂとコードストッパー３９本体間に空間部を形成し、同空間部にアンテナを有する無線ＩＣチップ２０を収納させることができる。蓋をコードストッパー３９本体から取り外すことにより、無線ＩＣチップを取り出すことができる。【０１５９】  また、図４０、４１に示すようにコードストッパー３９本体の外周面に電気接触片を有する面ファスナー３０を形成し、被着体２５に取り付けたセンサ２８及び信号線２９とを同被着体２５に取り付けた面ファスナー３０に形成した電気接触片と前記コードストッパー３９の電気接触片とを電気的に接続することで、センサ２８で検出したデータを無線ＩＣチップ２０に取り込むことができる。また、取り込んだ前記データを読取装置に送信することができるようになる。【０１６０】  センサ２８として心拍数を計測するセンサを用いたときには、例えば、ジョギング中での心拍数を計測することなど幅広い用途に使用することができるようになる。符号３９ａは、長さ調整自在に取り付けられた紐である。【０１６１】  図４２は、被着体２���に固定された雄ボタン４０ｂと雌ボタン４０ａとからなるスナップボタン４０にアンテナを有する無線ＩＣチップを内蔵した例を示している。雄ボタン４０ｂ又は雌ボタン４０ａに設けられた蓋４０ｃを着脱することで無線ＩＣチップ２０をスナップボタン４０に内蔵させることができる。蓋４０ｃを用いたことにより、不要のときには無線ＩＣチップ２０をスナップボタン４０から取り出しておくことができ、無線ＩＣチップへの不正アクセス等を防止することができる。【０１６２】  図４３〜図４６には、遮蔽材４５により無線ＩＣチップ２０及びアンテナ２１を遮蔽することのできる例を示している。遮蔽材４５としては金属板、金属網、磁性材を含有した樹脂板等を用いることができる。遮蔽材４５を備えた部材はスライドファスナー１に着脱自在に取り付けることも、被着体２５に取り付けることもできる。遮蔽材４５を備えた部材をスライドファスナー１や被着体２５に着脱自在とする構成としては、面ファスナー３０を用いたりスナップボタン４０等の着脱可能なファスナーを用いることで行うことができる。【０１６３】  図４３に示すように、面ファスナー３０を係合させることで遮蔽材４５が無線ＩＣチップ２０を被覆し、無線ＩＣチップ２０からの発信又は読取装置からの信号の受信を遮蔽することができる。【０１６４】  図４４に示すように、ファスナーエレメント１４等長手方向にわたってアンテナが形成されているときには、アンテナ全域を遮蔽材４５で覆うことが必要である。また、図４５に示すように遮蔽材４５の前面側にアンテナ２１を形成し、遮蔽材４５を備えた被着体２５でスライドファスナー１を覆うことで、スライドファスナー１とアンテナ２１とを同時に遮蔽と被覆とを行うことができる。【０１６５】  図４４に示すように、ファスナーエレメント１４等長手方向にわたってアンテナが形成されているときには、アンテナ全域を遮蔽材４５で覆うことが必要である。また、図４５に示すように遮蔽材４５の前面側にアンテナ２１を形成し、遮蔽材４５を備えた被着体２５でスライドファスナー１を覆うことで、スライドファスナー１とアンテナ２１とを同時に遮蔽と被覆とを行うことができる。【０１６６】  図４７〜図４９は、本発明のファスナーを被着体２５である衣服に被着した例を示している。被着体２５に予めアンテナ２１や各種センサ２８、信号線２９を取り付けておき、例えば、ファスナーとしてスライドファスナー１を被着体２５に被着するときには、スライドファスナー１に設けた導電性繊維材や導電材を信号線として使用し、前記信号線を前記導電性繊維材や導電材からなる信号線に接続することで、センサ２８での検出値をスライドファスナー１に取り付けた図示せぬ無線ＩＣチップに格納することができる。【０１６７】  外部に配した読取装置２４と無線ＩＣチップとの間で信号の送受信を行うことで、無線ＩＣチップに格納した前記センサからの検出値を読取装置２４に送信することができる。また、前記スライドファスナー１に設けた導電性繊維材や導電材を送受信用アンテナとして使用することにより、読取装置２４と無線ＩＣチップ間の距離が広くなっても同送受信用アンテナを用いて信号の送受信を行うことができる。【０１６８】  スライ��ファスナー１に電源電池を備えているときには、無線ＩＣチップに格納したプログラムに従って、例えば所定時間毎等において無線ＩＣチップから読取装置２４に各種データを送信することができる。ファスナーに取り付けた無線ＩＣチップに電源電池を有した（アクティブタイプ）と電源電池を有さない（パッシブタイプ）双方の機能を併せ持たせ、電源によって少なくとも数年は有電起動機能を備えさせることで、製造や販売段階での無線ＩＣチップからの電波が所定範囲内に亘って安定した状態で読取装置により受信することができるようになり、電源の寿命後には読取装置側からの信号に応じて発信する機能を維持させることができる。【０１６９】  しかも、アクティブタイプに無線ＩＣチップとパッシブタイプの無線ＩＣチップとをファスナーに取り付け、双方の無線ＩＣチップを同期させて、あるいは一方のみの無線ＩＣチップを選択的に作動させることができる。これにより、アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようになる。【０１７０】  図４９に示すように被着体２５に太陽電池４６を取り付け、被着体２５に取り付けた各センサやスライドファスナー１に取り付け無線ＩＣチップの電源電池とすることができる。【０１７１】  ＩＤタグを識別対象物である医療用の衣服に使用した場合等において、医療用衣服の生地には所要数のセンサが取着することができる。センサとしては、患者の心拍数、呼吸、血圧、体温、脳波などを常に監視するセンサや現在の所在位置を検出する位置センサなど各種センサを用いることができる。被着体２５としては、衣服に限らず帽子等に無線ＩＣチップを備えたファスナーを取り付けることもできる。【０１７２】  本発明の無線ＩＣチップを取り付けたファスナーは、無線ＩＣチップ等を被着体の目立たない部位に完全に覆うことができ、無線ＩＣチップの存在を容易に認識することはできない状態とすることができる。しかも、無線ＩＣチップ等を簡単に被着物から取り外せることができない部位に配することもできる。【０１７３】  これにより、無線ＩＣチップに格納するデータとしてセキュリティ番号などを格納することにより、商品の紛失対策、盗難対策、偽造対策の信頼性が十分に保証できる。また、無線ＩＣチップのメモリに個々の商品情報などを格納することにより、商品の生産から物流、販売等の全ての商品管理を合理的に行うことができる。また、無線ＩＣチップをファスナーに着脱自在に取り付けることができるので、必要なときには無線ＩＣチップをファスナーから取り外しておくことができるようになる。【０１７４】  なお、本発明は上記実施形態に限定されるものではなく、それらの実施形態から当業者が容易に変更可能な技術的な範囲をも当然に包含するものである。
【図１】
2005018365.tif 000003
【図２】
2005018365.tif 000004
【図３】
2005018365.tif 000005
【図４】
2005018365.tif 000006
【図５】
2005018365.tif 000007
【図６】
2005018365.tif 000008
【図７】
2005018365.tif 000009
【図８】
2005018365.tif 000010
【図９】
2005018365.tif 000011
【図１０】
2005018365.tif 000012
【図１１】
2005018365.tif 000013
【図１２】
2005018365.tif 000014
【図１３】
2005018365.tif 000015
【図１４】
2005018365.tif 000016
【図１５】
2005018365.tif 000017
【図１６】
2005018365.tif 000018
【図１７】
2005018365.tif 000019
【図１８】
2005018365.tif 000020
【図１９】
2005018365.tif 000021
【図２０】
2005018365.tif 000022
【図２１】
2005018365.tif 000023
【図２２】
2005018365.tif 000024
【図２３】
2005018365.tif 000025
【図２４】
2005018365.tif 000026
【図２５】
2005018365.tif 000027
【図２６】
2005018365.tif 000028
【図２７】
2005018365.tif 000029
【図２８】
2005018365.tif 000030
【図２９】
2005018365.tif 000031
【図３０】
2005018365.tif 000032
【図３１】
2005018365.tif 000033
【図３２】
2005018365.tif 000034
【図３３】
2005018365.tif 000035
【図３４】
2005018365.tif 000036
【図３５】
2005018365.tif 000037
【図３６】
2005018365.tif 000038
【図３７】
2005018365.tif 000039
【図３８】
2005018365.tif 000040
【図３９】
2005018365.tif 000041
【図４０】
2005018365.tif 000042
【図４１】
2005018365.tif 000043
【図４２】
2005018365.tif 000044
【図４３】
2005018365.tif 000045
【図４４】
2005018365.tif 000046
【図４５】
2005018365.tif 000047
【図４６】
2005018365.tif 000048
【図４７】
2005018365.tif 000049
【図４８】
2005018365.tif 000050
【図４９】
2005018365.tif 000051
【図５０】
2005018365.tif 000052
【図５１】
2005018365.tif 000053
【図５２】
2005018365.tif 000054
【図５３】
2005018365.tif 000055
【手続補正書】
【提出日】平成17年10月26日(2005.10.26)
【手続補正１】
【補正対象書類名】明細書
【補正対象項目名】全文
【補正方法】変更
【補正の内容】
【発明の詳細な説明】
【技術分野】
【０００１】
本発明は、例えばスライドファスナー、面ファスナー、テープ付きスナップファスナー、係合条片を有するレール状ファスナー、バックル、コードストッパ、ベルトアジャスター、ナスカン、スナップボタンなどの各種ファスナーに係わり、特に、狭小領域及び広範囲領域における製品管理機能或いは各種セキュリティ機能を奏することのできる無線ＩＣチップ、又は無線ＩＣチップと送受信用アンテナなどの識別媒体を内蔵した各種ファスナー及び同ファスナーを被着した被着体に関するものである。
【０００２】
なお、本明細書及び特許請求の範囲の記載において識別媒体とは、読み取り及び／又は書き込みが可能な符号、ＩＤ（Identification）識別符号をもつ媒体を指す用語として用いている。識別媒体として代表的なものとしては、ＲＦＩＤ（Radio Frequency Identification）、識別手段を有する添加物とその添加物を含有する識別情報保持物、同じく識別手段を有する秘密情報が埋め込まれた文字や図形などがある。
【０００３】
ＲＦＩＤとしては、シリコンチップのＲＦＩＤやクリスタルチップのＲＦＩＤを用いることができるものである。ＲＦＩＤは、無線ＩＣとかＩＣタグと称される場合もある。ＲＦＩＤの交信距離は０〜１０数ｃｍ未満、好適には１０ｍｍ未満である。さらに本発明にあっては、ＩＣチップとリーダー／ライターとが接触したときに交信が可能となる接触式ＩＣチップをも含むものである。
【０００４】
また、上記識別情報保持物としては、例えば、希土類元素を樹脂等に混入させた識別媒体であり、混入させた希土類元素の種類、添加量等により特定な情報を表す識別情報としたもので所謂プラゲノム（登録商標）と称されるもの、生物のＤＮＡ情報の一部から人工的に作られた合成ＤＮＡをインクに混入した所謂ＤＮＡインク（登録商標）と称されるものなどである。核磁気共鳴現象を利用した検出、赤外線等の光学式による検出等により、インクに混入した合成ＤＮＡ情報を読み出すことができる。
【０００５】
識別手段を有する秘密情報が埋め込まれた文字や図形などとしては、赤外線等に反応する識別糸を媒体に組み込んだ識別媒体であり、赤外線等を照射することで媒体に組み込んだ識別糸を視認することができるもの、あるいは、文字、絵柄、模様等を媒体に設けた識別媒体であり、同文字、絵柄、模様等を視認することができるものなどが含まれる。
【背景技術】
【０００６】
近年、無線通信方式によってデータ通信を行う非接触型ＩＤタグを生産段階で商品に内蔵させ、商品の生産から物流、販売等にいたるトータル的な商品管理を行うことや、商品の紛失防止、盗難防止、偽造防止などが行われている。また、ＩＤタグを衣服に装着して痴呆症患者の徘徊防止等に利用することなどが提案されてきている。
【０００７】
一般に非接触型ＩＤタグは、データ処理を行うＣＰＵやメモリ、信号の変調・増幅部等を有する無線ＩＣチップとその送受信アンテナとにより構成されている。無線ＩＣチップの電源としては、外部の読取装置から受信した電磁波で起電力を発生させ、発生した起電力を無線ＩＣチップの電源として用いる形式と無線ＩＣチップ用の電源電池を備えている形式とが用いられている。
【０００８】
無線ＩＣチップのメモリに格納されているデータを外部の読取装置によって読み取るにあたって、電源電池を備えていない形式のものにおいては、ＩＤタグ内に内蔵した受信アンテナに読取装置からの制御信号を受信する機能と共にコイルとしての機能も持たせている。外部の読取装置から送信した電磁波によって、受信アンテナであるコイルに起電力を発生させ、同起電力でもって無線ＩＣチップの動作を行わせている。電源電池を備えたものでは、受信アンテナによる起電力を発生させず、電源電池によって無線ＩＣチップを動作させている。
【０００９】
無線ＩＣチップが動作可能状態にあると、読取装置からの制御信号に基づいて無線ＩＣチップ内のメモリから必要なデータを取り出して、同データを応答データとして送信アンテナから読取装置に応答送信することができる。応答送信された信号は読取装置の受信アンテナで受信され、読取装置の制御部において応答データの解析が行われる。この応答データは無線ＩＣチップ内に格納されていたデータとして読取装置内に一時格納されたのち、パソコンなどの制御機器へと送信される。
【００１０】
また、読取装置から送信された制御信号に基づいて、無線ＩＣチップ内のメモリに格納されるデータの更新あるいは書き換え等を行うことも無線ＩＣチップの性能によって可能である。無線ＩＣチップ内のメモリからのデータの読み出し、データの書き込みにあたっては、各種セキュリティ手段を講じておくことができる。
【００１１】
この種のＩＤタグを内蔵したスライドファスナー用引手の一例が、例えば特開２００２−１２５７２１号公報（特許文献１）に開示されている。同公報に開示されたスライドファスナーの引手は、図５１に示すように金属製や合成樹脂、皮革、厚布等の軟質材製の引手本体５１内にＩＣチップ５４とコイルアンテナ５３とを埋め込んでおり、コイルアンテナ５３とＩＣチップ５４とは細いガラス管５５内に封入されている。
【００１２】
引手本体５１を金属材料により構成する場合は、同引手本体５１にガラス管５５の埋込孔５２が形成されるとともに、同埋込孔５２の壁面に内外に連通する送受信用スリット５６が形成され、同送受信用スリット５６の部位に配したコイルアンテナ５３と外部に配した読取装置との間で信号の送受信が行えるように構成されている。コイルアンテナ５３とＩＣチップ５４とを封入したガラス管５５が前記埋込孔５２内に挿入したのち、同埋込孔５２の開口端をエポキシ樹脂によって密閉し、コイルアンテナ５３とＩＣチップ５４とかからなるＩＤタグを埋設した引手本体５１が形成されている。
【００１３】
また、前記引手本体５１を合成樹脂材により構成する場合は、同引手本体５１が電磁透過性をもつ合成樹脂材料から構成される。ガラス管５５中に封入されたＩＤタグは、上記金属製の引手本体と同様に、前記エポキシ樹脂によって前記埋込孔５２内に封入され、ＩＤタグを埋設した引手本体５１が形成されている。
【００１４】
更にまた、前記引手本体５１を皮革材や布材により構成する場合は、ガラス管５５を挿入する埋込空間が引手本体５１に形成されている。ガラス管５５中に封入されたコイルアンテナ５３とＩＣチップ５４とからなるＩＤタグは、送受信用の長孔を有する金属管によって被覆して補強されている。補強されたＩＤタグは前記埋込空間内に隠蔽して収納されている。
【００１５】
一方、前記ＩＤタグを埋設一体化した衣服用ボタンの一例が、例えば特開２００２−４２１００号公報（特許文献２）に開示されている。同公報に開示された衣服用ボタンは図５２に示すように、電磁透過性を有する硬質樹脂製のボタン本体６２により構成されている。ボタン本体６２の表面にはリング状の凹所６４が形成され、その裏面にはボタンを衣服等に縫い止める縫止脚６１が一体に突設されている。
【００１６】
図５３に示すように凹所６４の中心部には無線ＩＣチップ６６が配されるとともに、同無線ＩＣチップ６６に電気的に接続されたらせん状コイルアンテナ６５が前記凹所６４内で周回するように配されている。この無線ＩＣチップ６６とコイルアンテナ６５とからなるＩＤタグが前記凹所６４内に配されたのち、同凹所６４内にエポキシ樹脂６７が流し込まれて固化され、コイルアンテナ６５と無線ＩＣチップ６６とからなるＩＤタグは密封防水処理され、ＩＤタグを内蔵したボタンが形成されている。
【特許文献１】特開２００２−１２５７２１号公報
【特許文献２】特開２００２−４２１００号公報
【発明の開示】
【発明が解決しようとする課題】
【００１７】
上記特許文献１に開示された引手本体にＩＤタグを埋設するためには、ＩＤタグをガラス管内に封入しなければならなかった。しかも、引手本体５１に衝撃が加わったときや送受信用スリット５６から露呈しているガラス管５５に障害物等が衝突したときなどに、ガラス管５５が破損してしまうことがあり、破損したガラス片が送受信用スリット５６から飛散してしまう危険性があった。
【００１８】
また上記特許文献２に開示されているボタンでは、衣服等に縫い止めることによって初めてボタンを取付けることができるため、ＩＤタグを内蔵したボタンの使用用途に制限が加えられていた。また、ボタンにアンテナを内蔵させているため、アンテナの長さにも制限があり、広範囲においてＩＤタグとの間で信号の接受を行うことができなかった。
【００１９】
特に、スライドファスナーなどのファスナーの用途は拡大されており、カバンやバックから衣料品に至るまで幅広く使用されてきており、その使用形態も種々にわたっている。このため、これらのものに使用されているファスナーに対して、ガラス管を用いることなく、しかもボタン以外のファスナーに対しても使い易い形でＩＤタグを設けることが望まれていた。更に、上述の従来例のものでは、無線ＩＣチップに記憶したデータを外部の読取装置で読み取ることができるのは、ＩＤタグと読取装置間の距離が短い狭小領域内でのみデータの読取が可能であった。このため、ＩＤタグを広範囲領域においても使用することができる技術の開発が望まれていた。
【００２０】
また、衣類やカバン等の商品にＩＤタグを取り付けた場合、個々の商品毎にＩＤタグを別途取り付けることは人手と時間とを必要とする。この場合には、部品メーカー側とアパレルメーカー側とは独立して生産から販売に至る管理を別個に行わざるを得ず、商品の生産から物流、販売等のトータル的な商品管理を行うことはできないという問題があった。
【００２１】
更に、製品が顧客に手渡った後の真贋判定においては、無線ＩＣチップは読取装置側からに信号に応じて発信すればよく、無線ＩＣチップからの電波到達距離を必要としないが、製造や販売段階での物流管理においては、無線ＩＣチップから発信された電波が所定範囲内に亘って安定した状態で読取装置により受信されることが望まれている。
【００２２】
更にまた、無線ＩＣチップには電源を内蔵したアクティブタイプと電源を内蔵していないパッシブタイプとがあるが、アクティブタイプでは電池の寿命により数年で無線ＩＣチップからの発信機能を失ってしまう問題や、パッシブタイプでは無線ＩＣチップからの電波到達距離を長くすることに技術的難易度が高く、コスト高となったり、無線ＩＣチップが大型化してファスナーに取り付けることが困難となったりする問題があった。
【００２３】
本発明は、これらの問題を解決するためになされたものである。スライドファスナーなどのファスナーを製造販売する部品メーカーにおいて、ＩＤタグを個々のファスナーに取り付けておけば、同ＩＤタグを取り付けたファスナーを被着体としての商品に取り付けるだけで、ファスナーの商品管理と合わせて商品についてのトータル的な商品管理を行うことができるようになる。このため、本発明ではスライドファスナーなどのファスナーについてその生産段階において無線ＩＣチップ、又は接触式ＩＣチップ、或いは既述したように所謂プラゲノム（登録商標）と称されるもの、生物のＤＮＡ情報の一部から人工的に作られた合成ＤＮＡをインクに混入した所謂ＤＮＡインク（登録商標）と称されるもの、あるいは秘密情報が埋め込まれた文字や図形などの識別媒体を装着させておくことにより上述した問題の解決を図ることにある。
【００２４】
また、無線ＩＣチップを取り付けたファスナーを被着した被着体にアンテナを取り付けることにより、広範囲領域においても使用することができることになる。更に、ファスナーに取り付けた無線ＩＣチップにアクティブタイプとパッシブタイプ双方の機能を併せ持たせ、電源によって少なくとも数年は有電起動機能を備えさせることで、製造や販売段階での無線ＩＣチップからの電波が所定範囲内に亘って安定した状態で読取装置により受信することができるようになり、電源の寿命後には読取装置側からの信号に応じて発信する機能を維持させることができるようにする。
【００２５】
しかも、アクティブタイプの無線ＩＣチップとパッシブタイプの無線ＩＣチップとをファスナーに取り付け、双方の無線ＩＣチップを同期させて、あるいは一方のみの無線ＩＣチップを選択的に作動させることができるようにする。アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようにする。
【課題を解決するための手段】
【００２６】
前記の目的を達成するため、この発明の第１の基本的な構成は、固着手段が取り付けられ、被着体に被着されるテープを有するファスナーであって、同テープにおける前記被着体により被覆される部位に識別媒体が取り付けられてなることを特徴とするファスナーにある。前記識別媒体が無線ＩＣチップであり、同無線ＩＣチップに接続したアンテナ又は信号線が前記ファスナーに取り付けられるようにすることができる。更に、前記識別媒体として、既述した所謂プラゲノム（登録商標）、所謂ＤＮＡインク（登録商標）、又は秘密情報が埋め込まれた文字や図形なども採用できる。
【００２７】
前記固着手段とは、スライドファスナーであれば一対のテープの対向側縁に沿って取り付けられたファスナーエレメントである。また、レール状ファスナーであれば一対のテープに対向して形成され、テープの長手方向に連続する係合条片である。また、スナップボタンファスナーであれば、テープの長手方向に所定の間隔をあけて形成された係合突部を有する雄係合部材と、係合突部が係脱する係合孔部又は係合凹部を有する雌係合部材である。また、面ファスナーであれば対面する一対の係合面に各々又は混在して多数形成されたフック状、又はきのこ状の雄係合素子と、ループ状の雌係合素子である。
【００２８】
識別媒体として無線ＩＣチップを採用するときは、読取装置と無線ＩＣチップとは、無線ＩＣチップに接続したアンテナを介して行うことができる。アンテナは無線ＩＣチップと一体的に構成してファスナーのテープに取り付けることも、ファスナーにおけるテープを利用して同テープ上にアンテナを配置することができる。ファスナーのテープを利用する場合には、同テープを構成している織糸あるいは編糸に導電性繊維材を用いることで配線することができる。同導電性繊維材は、例えばセンサと無線ＩＣチップとを接続する信号線として使用することもできる。
【００２９】
無線ＩＣチップに備えたメモリとしては、データの書き換えが可能なメモリ、データの書き換えができないメモリ或いはデータの書き込みやプログラムを記憶させることのできるメモリ等を用いることができる。
【００３０】
導電性繊維材の配線としては、同導電性繊維材から複数数本の配線を行い各配線の一端を無線ＩＣチップに接続し、他端を開放した状態として前記テープに織り込み或いは編み込みを行うことで構成とすることができる。また、同導電性繊維材の両端を無線ＩＣチップに接続し、両端を無線ＩＣチップに接続した導電性繊維材の中間部をループ状となるように前記テープに織り込み或いは編み込みを行うことで構成することもできる。更には、一端を無線ＩＣチップに接続した少なくとも２本の導電性繊維材の他端をそれぞれ開放した状態に配し、開放した他端同士を適宜の手段で接続してループ状に形成することもできる。
【００３１】
或いは、導電性材をファスナーのテープに貼付、接着、溶着、印刷又は埋め込むことで無線ＩＣチップと接続した配線とすることができる。この場合においても、導電性材の一端を無線ＩＣチップに接続し、他端を開放した状態としてアンテナや信号線等として形成することも、導電性材の両端を無線ＩＣチップに接続し、同導電性材の中間部をループ状となるように形成することもできる。２本の導電性材の一端を無線ＩＣチップに接続し、他端同士を適宜の手段で接続してループ状のアンテナに形成することもできる。
【００３２】
ファスナーがスライドファスナーである場合には、芯紐を構成する少なくとも一部の繊維に導電性繊維材を用いて同導電性繊維材と無線ＩＣチップとを接続することでアンテナや信号線等としてとして構成することができる。少なくとも２本の導電性繊維材を用い、同導電性繊維材の端部同士を連結すると共に中間部においては少なくとも２本の導電性繊維材が短絡しないように芯紐内に配設し、端部同士が連結されていない方の端部を無線ＩＣチップに接続することでループ状のアンテナを形成することも可能となる。
【００３３】
或いは、芯紐に配した導電性繊維材の一端を無線ＩＣチップに接続し、同導電性繊維材の他端と、ファスナーテープに織成又は編成し一端を前記無線ＩＣチップと電気的に接続した導電性繊維材との端部同士を接続することでループ状のアンテナを形成することができる。また、ファスナーテープに貼付、接着、溶着あるいは埋め込んだ導電性材の一端を前記無線ＩＣチップに接続し、同導電性材の他端と芯紐に配した導電性繊維材の他端とを適宜の手段で接続してループ状に形成することもできる。
【００３４】
更にまた、スライドファスナーにおける連続状のファスナーエレメントを導電性樹脂モノフィラメントをコイル状やジグザグ状に曲げて形成し、同ファスナーエレメントと無線ＩＣチップとを接続することで無線ＩＣチップのアンテナとして機能させることができる。
【００３５】
この発明におけるファスナーとしては、ファスナーが取り付けられ、被着体に被着されるテープを有するファスナーであり、スライドファスナー、係合条片を有するレール状ファスナー、スナップボタンファスナー、面ファスナーなどである。被着体に被着されるテープの部位に上述の識別媒体を取り付けているので、ファスナー単体においてはそれらの識別媒体と読取装置との間でデータのやり取りを行うことができる。
【００３６】
本発明の第２の基本的な構成は、固着手段が取り付けられ、被着体に被着されるテープを有するファスナーであって、前記ファスナーに取り付けた識別媒体と、前記テープの長手方向に連続して配したアンテナ又は信号線とを有し、前記識別媒体が無線ＩＣチップであり、前記無線ＩＣチップとアンテナ又は信号線とが接続されてなることを特徴とするファスナーにある。
【００３７】
この発明におけるファスナーとしては、固着手段が取り付けられ、被着体に被着されるテープを有するファスナーであり、スライドファスナー、係合条片を有するレール状ファスナー、スナップボタンファスナー、面ファスナーなどである。
【００３８】
本願発明の第３の基本的構成は、被着体に被着されるファスナーテープを有するスライドファスナーであって、同ファスナーテープにおける止部の近傍に識別媒体が取り付けられてなることを特徴とするファスナーにある。ファスナーとしては、スライドファスナー、係合条片を有するレール状ファスナー、スナップボタンファスナー、面ファスナーなどである。
【００３９】
この発明における構成は、上記第１、第２の基本的な構成と識別媒体をファスナーのテープに取り付けた部位を限定した点とファスナーがスライドファスナーに限定した点を除いて他の構成は同じ構成となっている。この第３の基本的構成のものにおいても、第１、第２の基本的構成において説明したように、アンテナの構成は同様に形成することができる。
【００４０】
この発明の第４の基本的な構成は、被着体に被着されるファスナーテープを有するスライドファスナーであって、スライドファスナーの止部に識別媒体を取り付けてなることを特徴とするファスナーにある。この発明における構成は、識別媒体をスライドファスナーの止部に取り付けた点を除いて第１〜第３の基本的な構成同じ構成とすることができる。第４の基本的構成のものにおける止部としては、上止部や下止部あるいは開離嵌挿具がある。
【００４１】
識別媒体の取り付け位置は、下止部や上止部あるいは開離嵌挿具に取り付けることができる。また、識別媒体を上述の止部に内蔵して取り付けることも、着脱自在に取り付けることもできる。着脱自在に取り付ける場合には、止部に識別媒体挿入用の穴部を形成して、同穴部に識別媒体を着脱自在に嵌入することで取り付けることができる。このとき、識別媒体が無線ＩＣチップであるときは、無線ＩＣチップをアンテナ内蔵型とすることもできる。
【００４２】
アンテナとしては、上述のようにスライドファスナーに導電性繊維材或いは導電性材を配して、同導電性繊維材或いは導電性材をアンテナとして無線ＩＣチップと接続して使用することもできる。
【００４３】
この発明の第５の基本的な構成は、固着手段が取り付けられ、被着体に被着されるテープを有するファスナーであって、識別媒体が前記固着手段に取り付けられてなることを特徴とするファスナーにある。
【００４４】
この発明の第６の基本的な構成は、被着体に被着されるファスナーテープを有するスライドファスナーであって、識別媒体がファスナーエレメントに取り付けられてなることを特徴とするスライドファスナーにある。
【００４５】
この発明の第７及び８の基本的な構成は、被着体に被着されるファスナーテープを有するスライドファスナーにおいて、識別媒体が、スライダーに取り付けられてなること、又は引き手に対して着脱自在に取り付けた装飾部材内に内蔵されてなることを特徴とするスライドファスナーにある。
【００４６】
この発明の第９の基本的な構成は、固着手段が取り付けられ、被着体に被着されるテープを有するファスナーであって、無線ＩＣチップ、電源電池及びアンテナを取り付けてなることを特徴とするファスナーにある。ファスナーとしては、スライドファスナー、面ファスナー、スナップファスナー、レールファスナー、バックル、コードストッパー、ナスカン、スナップボタン等を用いることができる。
【００４７】
この発明の第１０の基本的な構成は、無線ＩＣチップと、前記無線ＩＣチップを遮蔽する遮蔽材とを取り付けてなることを特徴とするファスナーにある。ファスナーとしては、スライドファスナー、面ファスナー、スナップファスナー、レールファスナー、バックル、コードストッパー、ナスカン、スナップボタン、ベルトアジャスター等を用いることができる。
【００４８】
この発明の第１１の基本的な構成は、対面して係脱可能な係合面を有する面ファスナーであって、前記係合面環に識別媒体を配置して被覆してなることを特徴とする面ファスナーにある。前記識別媒体としては、無線ＩＣチップを使うことが好ましく、無線ＩＣチップを被覆する面ファスナーが、無線ＩＣチップとの交信を遮断する遮蔽材を有することが好ましい。
【００４９】
この発明の第１２の基本的な構成は、識別媒体を取り付けたファスナーが被着された被着体であって、前記識別媒体が無線ＩＣチップであり、前記被着体に前記無線ＩＣチップと電気的に接続したアンテナ又は信号線を有することを特徴とする被着体にある。
【００５０】
この発明の第１３の基本的な構成は、識別媒体を取り付けたファスナーが被着された被着体であって、前記識別媒体は無線ＩＣチップであり、前記被着体に前記無線ＩＣチップを被覆して、無線ＩＣチップとの交信を遮蔽する遮蔽材を有することを特徴とする被着体にある。
【００５１】
この発明の第１４の基本的な構成は、識別媒体を着脱自在に取り付けてなることを特徴とするファスナーにある。ファスナーとしては、スライドファスナー、面ファスナー、スナップファスナー、レールファスナー、バックル、コードストッパー、ナスカン、スナップボタン、ベルトアジャスター等を用いることができる。
【発明の効果】
【００５２】
真正に製造された固定具なのか贋造品として製造された固定具なのかを、識別媒体である無線ＩＣチップに記憶されたデータ、或いは所謂プラゲノム（登録商標）や所謂ＤＮＡインク（登録商標）などが内蔵する各種情報を読取装置（識別装置）により読み取ることで簡単に識別することができる。また、識別媒体を取り付けた固定具の商品管理等も行うことができる。
【００５３】
この発明の第１の基本的構成のものは、識別媒体を取り付けた固定具が被着体に被着されると、識別媒体は被着体によって被覆された状態となり、外からは識別媒体が被着体に取り付けられていることが判別できない状態となる。外からは識別媒体の存在が確認できないにもかかわらず、識別媒体に記憶されたデータや情報または新たに記憶させたデータや情報を用いることが可能となり、被着体の真贋を識別することや被着体の商品管理等を行うことができるようになる。しかも、被着体に識別媒体を別途取り付ける作業を行うことなく、識別媒体を被着体から外部に露出させずに簡単に取り付けることができるようになる。
【００５４】
この発明の第２の基本的な構成は、ファスナーが識別媒体である無線ＩＣチップと、前記テープの長手方向に沿って連続して延びた状態に配した前記無線ＩＣチップのアンテナとを有しているので、無線ＩＣチップと読取装置との距離が長くなってもデータの送受信を行うことができるようになる。また、信号線によって各種センサ等と無線ＩＣチップとを接続させることができる。
【００５５】
長手方向に沿って連続して延びた状態のアンテナ又は信号線の構成としては、テープの長手方向に直線状に配した構成とすることも、テープの長手方向と交差する方向にジグザグ状に曲げながらテープの長手方向に沿って延ばした構成、螺旋状でテープの長手方向に沿って延ばした構成などを用いることができる。
【００５６】
ファスナーのテープにアンテナを配したことによりアンテナ長を長くすることが可能となり、ループ状としたアンテナから発生する起電力を大きくすることができると共に無線ＩＣチップと読取装置間での送受信距離を大きくすることが可能となる。
【００５７】
無線ＩＣチップに記憶されたデータを読取装置により読み出すことにより、真正に製造されたファスナーなのか贋造品として製造されたファスナーなのか、あるいは無線ＩＣチップを被着した被着体が真正に製造された被着体なのか贋造品として製造された被着体なのかを簡単に識別することができる。また、無線ＩＣチップを取り付けたファスナーや被着体の商品管理等も行うことができる。
【００５８】
無線ＩＣチップに備えたメモリとしては、データの書き換えが可能なメモリ、データの書き換えができないメモリ或いはデータの書き込みやプログラムを記憶させることのできるメモリ等を用いることができる。
【００５９】
読取装置と無線ＩＣチップとは、無線ＩＣチップに接続したアンテナを介して行うことができる。アンテナはテープの長さ方向に連続して延びた状態に配した構成に形成することもできれば、無線ＩＣチップと一体的に構成してファスナーのテープに取り付けることも、ファスナーにおけるテープを利用して同テープ上にアンテナを配置することもできる。ファスナーのテープを利用する場合には、同テープを構成している織糸あるいは編糸に導電性繊維材を用いることで配線することができる。同導電性繊維材は、アンテナとして使用する以外に、例えばセンサと無線ＩＣチップとを接続する信号線として使用することもできる。
【００６０】
導電性繊維材の配線としては、同導電性繊維材から複数数本の配線を行い各配線の一端を無線ＩＣチップに接続し、他端を開放した状態として前記テープに織り込み或いは編み込みを行うことで構成とすることができる。また、同導電性繊維材の両端を無線ＩＣチップに接続し、両端を無線ＩＣチップに接続した導電性繊維材の中間部をループ状となるように前記テープに織り込み或いは編み込みを行うことで構成することもできる。更には、一端を無線ＩＣチップに接続した少なくとも２本の導電性繊維材の他端をそれぞれ開放した状態に配し、開放した他端同士を適宜の手段で接続してループ状に形成することもできる。
【００６１】
導電性材をファスナーのテープに貼付、接着、溶着あるいは埋め込むことでアンテナとしての配線とすることができる。この場合においても、導電性材の一端を無線ＩＣチップに接続し、他端を開放した状態としてアンテナとして形成することも、導電性材の両端を無線ＩＣチップに接続し、同導電性材の中間部をループ状となるように形成することもできる。２本の導電性材の一端を無線ＩＣチップに接続し、他端同士を適宜の手段で接続してループ状のアンテナに形成することもできる。
【００６２】
ファスナーがスライドファスナーである場合には、芯紐を構成する少なくとも一部の繊維に導電性繊維材を用いて同導電性繊維材と無線ＩＣチップとを接続することでアンテナ又は信号線としてとして構成することができる。少なくとも２本の導電性繊維材を用い、同導電性繊維材の端部同士を連結すると共に中間部においては少なくとも２本の導電性繊維材が短絡しないように芯紐内に配設し、端部同士が連結されていない方の端部を無線ＩＣチップに接続することでループ状のアンテナを形成することも可能となる。
【００６３】
或いは、芯紐に配した導電性繊維材の一端を無線ＩＣチップに接続し、同導電性繊維材の他端と、ファスナーテープに織成又は編成し一端を前記無線ＩＣチップと電気的に接続した導電性繊維材との端部同士を接続することでループ状のアンテナを形成することができる。また、ファスナーテープに貼付、接着、溶着、印刷あるいは埋め込んだ導電性材の一端を前記無線ＩＣチップに接続し、同導電性材の他端と芯紐に配した導電性繊維材の他端とを適宜の手段で接続してループ状に形成することもできる。
【００６４】
更にまた、スライドファスナーにおける連続状のファスナーエレメントを導電性樹脂モノフィラメントをコイル状やジグザグ状に曲げて形成し、同ファスナーエレメントと無線ＩＣチップとを接続することで無線ＩＣチップのアンテナ又は信号線として機能させることができる。
【００６５】
ファスナーエレメントをアンテナとして機能させる場合において、ファスナーエレメントの一端を開放状態のままとすることも、上記したように導電性繊維材や導電性材を用いてループ状に形成することもできる。また、ファスナーエレメントをアンテナとして機能させる場合において、芯紐の少なくとも一部の繊維を導電性繊維材とすることで芯紐の導電性繊維材を磁芯部材としての機能をもたせることもできる。
【００６６】
無線ＩＣチップに電源電池が接続されていない場合には、少なくとも受信アンテナをループ状に形成し、ループ部を用いて起電力を発生させることが必要である。
【００６７】
この発明の第３の基本的構成のものにおいても、上述した第１及び第２の基本的な構成から奏することのできる各種効果を同様に奏することができるので、ここではその説明を省略する。この発明では、特にファスナーテープの止部近傍に識別媒体を配しているので、識別媒体の取り付け位置を特定することができ、読取装置で識別媒体に格納されているデータを読み取るときでも、或いはデータの書き込みが可能な識別媒体である無線ＩＣチップ又は接触式ＩＣチップに新たなデータを書き込むときでも識別媒体と読取装置との位置関係を簡単に設定することができるようになる。
【００６８】
しかも、ファスナーテープの止部近傍は補強テープにより補強されているので補強テープとファスナーテープ間に識別媒体を配置するだけで、簡単に識別媒体をファスナーテープに取り付けることができるようになる。また、識別媒体が無線ＩＣチップである場合は、補強テープによって無線ＩＣチップやアンテナがファスナーテープから外れたりするのを防止することができ、外部からの衝撃、障害物との衝突等によって無線ＩＣチップやアンテナが破損するのを防止することができるようになる。なお、識別媒体を補強テープ上に配することもできる。第３の基本的構成のものにおける止部としては、上止部や下止部あるいは開離嵌挿具がある。
【００６９】
この発明の第４の基本的な構成によっても、上述の第１〜第３の基本的な構成から奏することのできる各種効果を同様に奏することができるものである。第４の基本的構成のものにおける止部としては、上止部や下止部あるいは開離嵌挿具がある。
【００７０】
識別媒体の取付位置は下止部や上止部あるいは開離嵌挿具に取り付けることができる。また、識別媒体を上述の止部に内蔵して取り付けることも、着脱自在に取り付けることもできる。識別媒体が無線ＩＣチップであるときは、同無線ＩＣチップを着脱自在に取り付ける場合に、止部に無線ＩＣチップ挿入用の穴部を形成して、同穴部に無線ＩＣチップを着脱自在に嵌入することで取り付けることができる。このとき、無線ＩＣチップをアンテナ内蔵型とすることもでき、あるいは無線ＩＣチップに代えて接触式ＩＣチップとすることもできる。更には、これらの下止部や上止部あるいは開離嵌挿具に、識別媒体としての所謂プラゲノム（登録商標）を添加し、或いは所謂ＤＮＡインク（登録商標）を印刷することにより装着することも可能である。
【００７１】
スライドファスナーの各構成部材のいずれかに無線ＩＣチップとアンテナとを内蔵させることで、スライドファスナーの製造工程において無線ＩＣチップとアンテナとを同時にスライドファスナーに組み込むこともできるようになる。
【００７２】
また、この発明によれば識別媒体を前記止部に対して着脱自在に形成する場合には、読取装置から識別媒体の各種データや情報が不正に読み取られる恐れがあるときや、不正に書き込まれる恐れがあるときには、止部から識別媒体を取り出しておくことにより不正なアクセスを防止することができる。更に、識別媒体を取り付けたファスナーが被着体と共に洗濯される時、ファスナーから識別媒体を取り外しておくことで、洗濯中に無線ＩＣチップが破損するのを防止することができる。
【００７３】
この発明の第５の基本的な構成によれば、ファスナーの固着手段に識別媒体を取り付けることができる。ファスナーとしては、スライドファスナー、面ファスナー、スナップボタンファスナー、レール状ファスナー等があげられ、これらファスナーの固着手段に識別媒体を取り付けることができる。
【００７４】
この発明の第６の基本的な構成によれば、スライドファスナーのファスナーエレメントに識別媒体を取り付けることができる。ファスナーエレメントの少なくとも一つに識別媒体を取り付けることができ、複数のファスナーエレメントに各々識別媒体を取り付けることができる。
【００７５】
この発明の第７及び８の基本的な構成によれば、スライダー又は引き手に対して着脱自在に取り付けられる装飾部材に識別媒体を取り付けることができる。識別媒体が無線ＩＣチップである場合に、無線ＩＣチップの取り付けに当たっては、アンテナと一緒に前記各部材に無線ＩＣチップ及びアンテナ挿入用の穴部を形成して、同穴部に無線ＩＣチップ等を着脱自在に嵌入することで取り付けることがでる。また、スライドファスナーの各構成部材のいずれかに無線ＩＣチップとアンテナとを内蔵させることで、スライドファスナーの製造工程において無線ＩＣチップとアンテナとを同時にスライドファスナーに組み込むこともできる。
【００７６】
更に、スライドファスナーの各構成部材のいずれかに無線ＩＣチップとアンテナとを着脱自在に嵌入する穴部を形成しておくことにより、読取装置から無線ＩＣチップのデータを不正に読み取られる恐れがあるときや、不正に書き込まれる恐れがあるときには、穴部から無線ＩＣチップとアンテナとを取り出しておくとにより防止することができる。
なお、無線ＩＣチップとアンテナとに代えて、接触式ＩＣチップを用いることもできる。
【００７７】
この発明の第９の基本的な構成では、ファスナーが無線ＩＣチップ、電源電池及びアンテナを有しているので、読取装置からの信号で起電力を発生させる必要がなく、アンテナの構成をループ状に形成することは必ずしも必要とはしない。しかし、ループ状に形成したアンテナを用いることは可能である。
【００７８】
ループ状に形成したアンテナを用いた場合には、ファスナーに取り付けた無線ＩＣチップにアクティブタイプとパッシブタイプ双方の機能を併せ持たせ、電源によって少なくとも数年は有電起動機能を備えさせることができるようになる。これにより、製造や販売段階での無線ＩＣチップからの電波が所定範囲内に亘って安定した状態で読取装置により受信することができるようになり、電源の寿命後には読取装置側からの信号に応じて発信する機能を維持させることができるようになる。
【００７９】
更に、アクティブタイプの無線ＩＣチップとパッシブタイプの無線ＩＣチップとをファスナーに取り付け、双方の無線ＩＣチップを同期させて、あるいは一方のみの無線ＩＣチップを選択的に作動させることができる。これにより、アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようになる。
【００８０】
ファスナーに無線ＩＣチップの電源電池が取り付けられているため、アンテナから送信する電磁波の強さを電源電池の設置数等により調整することが可能となり、所望の出力をアンテナから出力させることが可能となる。これにより、ファスナーにアンテナを配したことと相俟って広範囲の領域において無線ＩＣチップと読取装置間で信号の送受信を行うことができるようになる。
【００８１】
スライドファスナーのように左右に分離できるファスナーテープにおいては、一方のファスナーテープに電源電池を取り付け、他方のファスナーテープに無線ＩＣチップを取り付けた構成とすることができる。この場合においては、両ファスナーテープを開離させる開離嵌挿具にスイッチ機構を形成することで、開離嵌挿具の嵌合時にはスイッチをＯＮさせて電源電池の電流・電圧を無線ＩＣチップに供給し、開離嵌挿具の離間時にはスイッチがＯＦＦさせて電源電池からの電流・電圧を無線ＩＣチップに供給するのを停止することができる。これにより、開離嵌挿具の嵌合及び離間操作で無線ＩＣチップの動作をＯＮ・ＯＦＦ制御することができるようになる。
【００８２】
スナップボタンの雄雌部材の一方に無線ＩＣチップ及びアンテナを取り付けた場合には、他方の部材に電源電池を取り付け、雄雌部材の係合により電源電池と無線ＩＣチップとの接続を行わせ、雄雌部材の離間ときには電源電池と無線ＩＣチップとの遮断を行わせるように、雄雌部材間にスイッチ機構を構成することができる。
【００８３】
これらのファスナーに無線ＩＣチップとアンテナとを取り付けることにより、無線ＩＣチップとアンテナとを特別な取り付け作業を行わずにベルト等の上記ファスナーと共同して使用する部材に自動的に設置することができるようになる。
【００８４】
この発明の第１０の基本的な構成によれば、導電性金属板等から構成できる遮蔽材を無線ＩＣチップやアンテナを覆う部位に配し、しかも、遮蔽材をファスナーに着脱自在に取着させることができる。遮蔽材で無線ＩＣチップやアンテナを遮蔽することにより、読取装置との間での信号の接受を禁止することができ、無線ＩＣチップに格納されたデータに不正なアクセスが行われないようにして、セキュリティを高めることができるようになる。また、同様に読取装置から改ざんされたデータ等が無線ＩＣチップに格納されるのを防止することができるようになる。
【００８５】
遮蔽材としては、金属板、金属製の網、導電性材を含有した樹脂等を用いて形成することができる。
【００８６】
この発明の第１１の基本的な構成によれば、識別媒体を被覆する面ファスナーに着脱自在な遮蔽材を設けることにより、任意に遮蔽材で識別媒体を遮蔽することが可能となり、読取装置との間での信号の接受を禁止することができ、識別媒体が有する各種のデータに不正なアクセスが行われないようにして、セキュリティを高めることができるようになる。また、同様に読取装置から改ざんされたデータ等が識別媒体に格納されるのを防止することができるようになる。また、識別媒体は、結果的に面ファスナーの係合面間に狭持される構成となるので、識別媒体を単に面ファスナーの係合面上に載置したり、埋め込み又は添加するだけで識別媒体を面ファスナーに容易に取り付けることができる。
【００８７】
この発明の第１２の基本な構成では、被着体に無線ＩＣチップ用のアンテナ又は信号線と必要に応じて各種センサとを配し、同信号線を介して各種センサを無線ＩＣチップと接続することができる。また、アンテナと無線ＩＣチップとを接続することができる。これらの接続に当たって、ファスナーのテープに配した導電性材或いは導電性繊維材を介して接続することができる。
【００８８】
被着体に被着したファスナーが有する無線ＩＣチップと読取装置との間で信号を接受することで、被着体の真贋判定や被着体の商品管理等を行うことができるようになる。しかも、被着体にアンテナを有しているため読取装置との距離が長くなっても信号の接受を行うことができるようになる。
【００８９】
このため、例えば、血圧計のセンサを取り付けた被着体を被着した人を所定時間毎や異常血圧を示したときなど、予め無線ＩＣチップに血圧計を測定する検出条件を設定しておいた検出条件に基づいて血圧の測定を行い、その検出結果を無線ＩＣチップのメモリに記憶しておくことができる。しかも、各種センサと無線ＩＣチップとの接続は、信号線を介して行い、記憶した検出結果を予め設定した条件に基づいて読取装置に送信するのをアンテナを介して行うことができるようになる。
【００９０】
また、ファスナーを取り付けるだけで衣服等に無線ＩＣチップを取り付けることが可能となるので、例えば、衣服の洗濯中において洗濯機に対して自動的に洗い方を指示することなどが可能となる。また、衣服に温度センサを付けておけば、同衣服を着ている人の体温を検出して同検出した体温をエアコンに無線ＩＣチップから送信することで、温度を自動的に調整することもできるようになる。
【００９１】
あるいは、徘徊患者の衣服に位置センサを取り付けておけば、徘徊患者の現在位置をオンタイムで監視することなどが可能となる。このように、被着体に無線ＩＣチップ及びアンテナを有するファスナーを取り付けるだけで、被着体に取り付けた各種センサからの検出信号を様々な形で取り出して有効利用することができるようになる。
【００９２】
この発明の第１３の基本的な構成にあって、無線ＩＣチップを取り付けたファスナーとしては、スライドファスナー、面ファスナー、スナップファスナー、レールファスナー、バックル、コードストッパー、ナスカン、スナップボタン、ベルトアジャスター等を用いることができる。
【００９３】
この発明では、被着体に無線ＩＣチップを遮蔽する被着体が設けられているので、遮蔽材の大きさを無線ＩＣチップやアンテナまでも覆うことのできる大きさとすることができる。遮蔽材としては、金属板、金属製の網、導電性材を含有した樹脂等を用いて形成することができる。遮断材により、アンテナの送受信を禁止して、無線ＩＣチップのセキュリティを保つこともできる。また、無線ＩＣチップ又はアンテナを必要な時に遮蔽材で覆うことができるので、現在の居場所を送信できなくすることもでき、個人のプライバシーを守ることも可能となる。
【００９４】
この発明の第１４の基本的な構成によれば、ファスナーに識別媒体を着脱自在に取り付けているため、不正アクセスの防止や所望のデータを格納した識別媒体の交換等が容易に行うことができるようになる。これにより、識別媒体に対するセキュリティを高めることができるようになり、読取装置から改ざんされたデータ等が識別媒体に移されることを防止することができるようになる。
【００９５】
また、例えば無線ＩＣチップ又は接触式ＩＣチップを取り付けたファスナーが被着体と共に洗濯される時、ファスナーからＩＣチップを取り外しておくことで、洗濯中にＩＣチップが破損するのを防止することができる。ＩＣチップをファスナー内に内蔵する場合には、ＩＣチップを内蔵するファスナーの部材を電磁透過性を有するエステル、ポリアセタール、ポリエチレンテレフタレート等の低透磁率部材、例えばナイロン、ポリ合成樹脂材で形成しておくことが望ましい。
【発明を実施するための最良の形態】
【００９６】
以下、本発明の好適な実施の形態を添付図面に基づいて具体的に説明する。本発明におけるファスナーとしては、例えばカバン、スポーツウェアその他の各種の衣類の留め具として、例えばスライドファスナー、面ファスナー、テープ付きスナップファスナー、レール状ファスナー、バックル、コードストッパー、ベルトアジャスター、ナスカン、スナップボタンなどの各種ファスナーを含んでいる。以下の実施形態にあっては、前述のファスナーに対して無線ＩＣチップ及びアンテナとを有するＩＤタグの配置構成やＩＤタグにおけるアンテナ構造を主要な特徴部として説明しているが、本発明は前記無線ＩＣチップ及びアンテナなどの識別媒体に限らず、例えば既述したとおり識別手段を有する添加物とその添加物を含有する識別情報保持物、同じく識別手段を有する秘密情報が埋め込まれた文字や図形などの識別媒体を採用することができる。
【００９７】
本実施形態に適用されるＩＤタグの曲型的な態様としは、識別対象物の識別情報などのデータを格納するメモリを備えた無線ＩＣチップとアンテナとが互いに電気的に接続されて応答回路を構成している。その応答回路として、無線ＩＣチップには、例えば検出回路、電源回路、制御回路、メモリ回路、変調回路、発振回路等が組み込まれている。
【００９８】
更に本発明にあっては、外部からの電磁誘導などにより各回路に電力を供給する無電池式のＩＤタグ、あるいは電源として電池を内蔵した電源内蔵型のＩＤタグを含んでいる。このため、上記電源回路としては、電源電池を無線ＩＣチップと取り付け側に配されている場合における電源回路と、外部にある読取装置からの送信信号をループ状のアンテナで受信したときに、ループ状のアンテナにより前記送信信号の電磁波から発生させた起電力を利用する電源回路とをそれぞれ意味しているものである。
【００９９】
また、本発明における無線ＩＣチップは、読取装置からの送信信号により無線ＩＣチップ内のメモリに格納しているデータを取り出して読取措置に応答信号として送信するもの、読取装置からの送信信号により無線ＩＣチップ内のメモリに格納しているデータやプログラムの書き換えや更新等を行うことができるもの、更には無線ＩＣチップ内の制御装置がプログラムに基づいて自動的にメモリ内に格納したデータ等を読取装置に送信することのできるもの等の各種制御形態を行い得る無線ＩＣチップとして構成されているものである。
【０１００】
本発明における無線ＩＣチップの構成は上述の構成及び以下に説明する構成に限定されるものではなく、多様な変更が可能である。
【０１０１】
図１は本発明の代表的な第１の実施形態であり、スライドファスナーに取着される無線ＩＣチップ及びアンテナとを有するＩＤタグの配置位置を模式的に示す概略斜視図である。図２は同スライドファスナーの縦断面図を示している。図３は同スライドファスナーに取着される無線ＩＣチップとファスナーテープに形成したアンテナ線または信号線の配置位置を模式的に示す概略斜視図である。
【０１０２】
図１において、符号１は例えば衣服やカバン等の被着体２５に縫製により被着されたスライドファスナーを示しており、ファスナーテープ４には、複数のエレメント７、上止部５、開離嵌挿具１５、蝶棒９、箱棒１０、スライダー２、引き手３、補強テープ８等が取り付けられている。
【０１０３】
ファスナーテープとしては、例えば合成樹脂繊維を織成又は編成された繊維テープ状の基布、不織布、合成樹脂製シートなどから構成される。ファスナーエレメントとしては、合成樹脂製モノフィラメントをコイル状に巻回してなるコイル状エレメント、平面内に横方向にＵ字形に屈曲した部分を長手方向に沿って上下交互に連続してジグザグ状に形成したジグザグ状エレメントなどの連続状エレメント等から構成される。このことは、上述のスライダー、上下止具、補強用シート状部材、開離嵌挿具についても同様であり、その太さや材質及び構造なども様々に変更が可能である。
【０１０４】
被着体２５に被着されて被覆されるファスナーテープ４の縁部寄りの部位には、無線ＩＣチップ２０が取り付けられている。無線ＩＣチップ２０は貼着、接着、溶着或いは射出等の適宜の取り付け手段を用いることによりファスナーテープ４に取り付けることができる。また、無線ＩＣチップ２０には図示せぬアンテナが無線ＩＣチップ２０と一体に形成されている。
【０１０５】
図２に示すように無線ＩＣチップ２０は、図４７に示す外部の読取装置２４との間で信号の送受信を行うアンテナとともに、被着体２５の縫製ライン２６に沿ってスライドファスナー１を縫い付けることで目視できない状態に配置することができる。
【０１０６】
これにより、読取装置からの送信信号で無線ＩＣチップに格納したデータを呼び出すことができ、無線ＩＣチップ２０は、スライドファスナー１を単独で使用するときにはスライドファスナー１の商品管理や真贋判別用等の識別装置として機能させることができる。また、同スライドファスナー１をバックや衣服等の被着体２５に被着したときには、オリジナル製品としての被着体２５の真贋判断用や商品管理等の識別装置として機能させることができる。また、必要に応じて読取装置からの送信信号により無線ＩＣチップに格納されているデータやプログラムの修正、更正等を行うことができる。
【０１０７】
図１に示すものでは無線ＩＣチップ２０には無線ＩＣチップを作動させる電源を有しておらず、読取装置からの送信信号により発生させた図示せぬアンテナによる起電力で無線ＩＣチップを作動させることができる。
【０１０８】
図３に示すスライドファスナー１では、ファスナーテープ４として、例えば合成樹脂繊維を織成又は編成された繊維テープ状の基布に、織糸又は編み糸として導電性繊維材１２を織成又は編成したものである。他の構成は図１における構成と同じであるので図１で用いたと同じ符号を用いることでその説明に代えることとする。
【０１０９】
図３における導電性繊維材１２は、図１９〜２１に示すように導電性繊維材１２は織糸又は編糸として、ファスナーテープ４の基布の織成又は編成と同時に織成又は編成することができる。導電性繊維材１２は、被着体２５に取り付けた図示せぬセンサ等と無線ＩＣチップ２０とを連結する信号線として使用することも、無線ＩＣチップ２０のアンテナとして使用することもできる。図１９〜２１においては、織目、編目を分かり易くするために誇張して拡大した状態を示しているものである。
【０１１０】
図３における導電性繊維材１２の代わりに、図２２〜図２４に示すような金属薄板、導電性樹脂等から構成される導電材１３をファスナーテープ４の面に貼着、接着、溶着、テープ３３ａとの一体成形、又は導電性塗料を塗着する印刷等の各種取付手段により取り付けることもできる。なお、図２２は導電性塗料による印刷の例を示し、図２３は導電材１３の貼着、接着、溶着の例を示している。又図２４は導電材１３を埋め込んで一体成形した例を示している。図２４では、レール状ファスナー３３を示しているが、ファスナーテープ４をレール状ファスナー３３のテープ３３ａと同様に樹脂の一体成形で形成するときには図２４におけるテープと同様の構成を取ることができるものである。導電材１３のファスナーテープ４への取り付けは、導電材１３と無線ＩＣチップ２０との接続が担保されれば、ファスナーテープの表面、裏面を問わずどちらの面にも形成することができる。
【０１１１】
導電性繊維材１２や導電材１３を無線ＩＣチップ２０のアンテナとして機能させるときには、一端を無線ＩＣチップに連結し、他端を開放した１本のアンテナ線として形成することも、一端をそれぞれ無線ＩＣチップに連結すると共に、それぞれの他端を開放した２本のアンテナ線として形成することもできる。また、２本のアンテナ線の前記他端同士を連結したアンテナ或いは両端が無線ＩＣチップに連結し、中間部をループ状となるように配したアンテナ線として形成することもできる。
【０１１２】
本発明においては、フレキシブルワイヤー等の金属線も導電性繊維材１２における１つの形態として含まれるものである。
【０１１３】
センサ等と無線ＩＣチップとを連結する信号線として導電性繊維材１２を用いるときには、お互いに短絡していない２本の導電性繊維材を用いて信号線として機能させることができる。導電性繊維材１２と導電材１３との組合せによりアンテナ線や信号線を形成することができる。
【０１１４】
無線ＩＣチップ２０は、図１に示すように一方のファスナーテープ４に取り付けることも、図３に示すように両方のファスナーテープ４に取り付けることもできる。
【０１１５】
図４は、面ファスナー３０のテープ３０ａに無線ＩＣチップ２０を取り付けたものを示している。無線ＩＣチップ２０には、図示せぬアンテナが一体に形成されている。図４（ｂ）に示すように面ファスナー３０のテープ３０ａを被着体２５に縫製等により被着することで、無線ＩＣチップ２０の取り付け状態が外部から目視できない状態とすることができる。
【０１１６】
無線ＩＣチップ２０のテープ３０ａへの取り付けは、貼着、接着、溶着、面ファスナーの成形時に一体成形して取り付けるなど適宜の取り付け手段を採用することができる。また、アンテナは、無線ＩＣチップ２０と一体に形成することも、面ファスナー３０のテープ３０ａ上に導電体や導電性樹脂等を用いて形成することもできる。
【０１１７】
図５は面ファスナーを用いたバンドを示している。バンドは長尺なテープ状の面ファスナー３０と、短尺なテープ片状の面ファスナー３０ａとから構成され、面ファスナー３０ａの一端が面ファスナー３０の長手方向の中間位置に固定されている。面ファスナー３０の両端には係脱可能な多数の雄又は雌係合素子が起立する係合部が設けられ、双方の係合部を係合させることで、バンドをリング状にすることができる。また、面ファスナー３０と面ファスナー３０ａの対向面にも係脱可能な多数の雄又は雌係合素子が起立する係合面が設けられている。
【０１１８】
無線ＩＣチップ２０を面ファスナー３０の係合面間に配置させることで、面ファスナーに取り付けることができる。無線ＩＣチップ２０には、図示せぬアンテナが一体に形成されている。このときには、無線ＩＣチップ２０を狭持している面ファスナーを開放することで、無線ＩＣチップ２０を面ファスナー３０に対して着脱自在とすることができる。これにより、面ファスナー３０から無線ＩＣチップ２０を取り外すだけで読取装置からの読取を行い得えない状態とすることができ、無線ＩＣチップ２０への不正アクセス等を防止することができる。
【０１１９】
また、面ファスナー３０の係合面に無線ＩＣチップ２０を固定し、無線ＩＣチップ２０を被覆可能な面ファスナー３０ａに遮蔽材４５を設けることにより、面ファスナー３０ａで無線ＩＣチップ２０を被覆しない場合に、無線ＩＣチップ２０と外部の読取装置間とが交信して信号の接受を可能とし、面ファスナー３０ａが無線ＩＣチップ２０又は同無線ＩＣチップ２０のアンテナ２１を被覆する場合に、遮蔽材４５が無線ＩＣチップ２０と読取装置間での信号の接受を禁止させることもできる。
【０１２０】
無線ＩＣチップ２０を面ファスナー３０から着脱自在としたことにより、面ファスナー２０を被着した被着体２５を洗濯する際に、無線ＩＣチップ２０を面ファスナー３０から取り外した状態で洗濯を行うことができるようになる。又、個人のプライバシーを守る必要が生じたときにも、無線ＩＣチップを面ファスナーから容易に取り外すことができる。
【０１２１】
図６（ａ）はスナップファスナー３１のテープ３２ａに無線ＩＣチップ２０を取り付けた例であり、無線ＩＣチップ２０には、図示せぬアンテナが一体に形成されている。図６（ｂ）に示すようにスナップファスナー３１のテープ３２ａを被着体２５に縫製、接着、溶着等により被着することで、無線ＩＣチップ２０の取り付け状態が外部から目視できない状態とすることができる。無線ＩＣチップ２０のテープ３２ａへの取り付けは、貼着、接着、溶着、テープ３２ａの成形時に一体成形して取り付けるなど適宜の取り付け手段を採用することができる。
【０１２２】
図示例によるスナップファスナーは、例えば織成又は編成により得られる繊維テープ状基布に所定の間隔をもって基布中央の長手方向に沿って穿設した複数の取付孔を介して、その表裏面に雄スナップボタン３２ｂを一体成形して得られる雄係合部材と相手方の繊維テープ状基布の取付孔を介して多数の雌スナップボタン３２ｃを一体成形して得られる雌係合部材とから構成されている。
【０１２３】
図７（ａ）は係合条片３３ｂを有するレール状ファスナー３３のテープ３３ａに無線ＩＣチップ２０を取り付けた例である。無線ＩＣチップ２０には、図示せぬアンテナが一体に形成されている。図７（ｂ）に示すようにレール状ファスナー３３のテープ３３ａを被着体２５に縫製、接着、溶着等により被着することで、無線ＩＣチップ２０の取り付け状態が外部から目視できない状態とすることができる。無線ＩＣチップ２０のテープ３３ａの取り付けは、貼着、接着、溶着、テープ３３ａの成形時に一体成形して取り付けるなど適宜の取り付け手段を採用することができる。
【０１２４】
図８〜図１８は、本発明の代表的な第２の実施形態を示すものであり、ファスナーとしてスライドファスナー１を用いたものである。無線ＩＣチップ２０はファスナーテープ４の開離嵌挿具１５の近傍に配されている構成を除いて、基本的には上述の第１の実施形態におけるスライドファスナー１と同じ構成を備えている。そのため、第１の実施形態において用いたと同じ符号を用いることで、当該部材の説明を省略することとする。
【０１２５】
無線ＩＣチップ２０は、ファスナーテープ４の下端部に接着層を介して溶着されている補強テープ８内又は補強テープ８の上面に、接着、貼付、溶着等の手段により取り付けられている。また、導電性繊維材１２がファスナーテープ４の織成又は編成と同時に織成又は編成により取り付けて使用することもできる。
【０１２６】
導電性繊維材１２の代わりに導電材を用いて、上記第１の実施形態で説明したようにファスナーテープ４に取り付けることもできる。
【０１２７】
導電性繊維材１２や導電材１３を無線ＩＣチップ２０のアンテナ線２１や信号線２３として機能させるときには、一端を無線ＩＣチップに連結し、他端を開放した１本のアンテナ線２１や信号線２３として形成することができる。一端をそれぞれ無線ＩＣチップに連結すると共に、それぞれの他端を開放した２本のアンテナ線２１や信号線２３として形成することもできる。また、前記２本のアンテナ線２１における他端同士を連結し、一端をそれぞれ無線ＩＣチップに連結したり、両端を無線ＩＣチップに連結したアンテナ線の中間部をループ状となるように配することで、ループ状のアンテナ線を形成することもできる。
【０１２８】
本発明においては、フレキシブルワイヤー等の金属線も導電性繊維材１２における１つの形態として含まれているものである。
【０１２９】
図９は、ファスナーエレメント１４及び／又は芯紐を構成する少なくとも１つの導電性繊維材１２を無線ＩＣチップ２０のアンテナとしても機能させている例を示している。図２６、図２７に示すように、ファスナーエレメント１４を構成する導電性樹脂モノフィラメントをコイル状、ジグザグ状に曲げて形成し、ファスナーエレメント１４の一端と無線ＩＣチップ２０とを信号線２３で接続することにより、ファスナーエレメント１４をアンテナとしての機能を持たせることができる。
【０１３０】
或いは、図２５（ａ）に示すように芯紐１１を構成する繊維の一部に導電性繊維材１２を配し、同導電性繊維材１２をアンテナとしての機能も備えさせることもできる。更には、ファスナーエレメント１４を構成する導電性樹脂モノフィラメントをコイル状に曲げて形成し、アンテナとしての機能を持たせると共に芯紐１１を構成する繊維の少なくとも一部に導電性繊維材１２を配することで、芯紐１１を導電性樹脂モノフィラメントにおける磁芯部材としての機能を持たせることもできる。
【０１３１】
ファスナーエレメント１４の他端を図８に示す導電性繊維材１２の他端と接続してループ状のアンテナとして機能させることもできる。信号線２３は導電性繊維材等の導電性線状材を用いることができ、ファスナーテープ４の織成及び／又は編成と同時に形成することもできる。あるいは、ファスナーエレメント１４に電気的に接続している蝶棒９または箱棒１０を導電性材から構成し、同蝶棒９または箱棒１０に信号線２３電気的に接続させることもできる。
【０１３２】
図１０は、一対のファスナーテープ４のそれぞれに無線ＩＣチップ２０及びアンテナ２１を取り付けた例を示しているものであり、無線ＩＣチップ２０及びアンテナ２１を下止部６の近傍におけるファスナーテープ４に取り付け、補強テープ８で被覆している状態を示している。２つの無線ＩＣチップ２０には、それぞれ異なるデータや異なる制御機能を持たせることができる。無線ＩＣチップ２０は、補強テープ８で被覆する代わりに補強テープ８上に接着等の適宜の手段で取り付けることもできる。
【０１３３】
また、一方の無線ＩＣチップを電源電池を有するアクティブタイプに構成し、他方の無線ＩＣチップを電源電池を有さないパッシブタイプに構成することもできる。このとき、双方の無線ＩＣチップを同期させて、あるいは一方のみの無線ＩＣチップを選択的に作動させることができるようにする。アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようになる。
【０１３４】
図１１、１２は、図９の例において無線ＩＣチップ２０用の電源電池２２を設けた例を示している。電源電池２２と無線ＩＣチップ２０とは信号線２３により電気的に接続されて、電源電池２２の電流・電圧を無線ＩＣチップ２０に供給できる構成となっている。電源電池２２、信号線２３及び無線ＩＣチップ２０とは補強テープ８で被覆すると共に、補強テープ８を介してファスナーテープ４に取り付けることができる。また、電源電池２２や無線ＩＣチップ２０を補強テープ８上に取り付けることもできる。
【０１３５】
特に、電源電池２２を補強テープ８上に着脱自在に取り付け、電源電池２２にスイッチ機能を持たせることにより、電源電池２２を押圧するなどしてスイッチ機構を作動させる操作を行うことで、必要な時のみ無線ＩＣチップ２０を作動させることができる。
【０１３６】
電源電池２２としては、スイッチ機能を備えたケース等内に収納配置し、同ケースを補強テープ８に取り付けるように構成することができる。このため、本発明においては、電源電池２２の用語の意味として、電池そのものとして使用する場合も、スイッチ付のケース又はスイッチ機能なしのケース等に取り外し自在に収納させたケース付の場合をも含めて使用しているものである。
【０１３７】
また、図１１においては、無線ＩＣチップ２０を被着体２５によって被覆させることができるので、無線ＩＣチップ２０を補強テープ上に取り付けた場合であっても、補強テープ８とファスナーテープ４間に取り付けた場合であっても、常に被着体２５で被覆された状態とすることができる。
【０１３８】
図１３は、一対のファスナーテープ４のうち一方に無線ＩＣチップ２０及びアンテナ２１を取り付け、他方に電源電池２２を取り付けた例を示している。電源電池２２と無線ＩＣチップ２０とは開離嵌挿具１５を介して電気的に接続している。開離嵌挿具１５を構成する雄部材と雌部材間には電気的接続端子が形成され、図１４（ａ）に示すように前記雄部材と雌部材とを嵌合させて係合することで前記電気的接続端子同士が接触して電気的に接続した状態を形成し、図１４（ｂ）に示すように前記雄部材と雌部材との係合を解除して両者が離れると電気的接続が遮断される。
【０１３９】
これにより、開離嵌挿具１５を構成する雄部材と雌部材とにスイッチ機構を持たせることができるようになる。また、電源電池２２にスイッチ機能を持たせることにより、電源電池２２を押圧等の操作でスイッチ機構を作動させることにより、必要な時のみ無線ＩＣチップ２０を作動させることができるように構成することもできる。
【０１４０】
なお、図１３、１４に示す例では、アンテナ２１が無線ＩＣチップ２０と一緒に構成されている例について説明したが、アンテナ２１は必ずしも無線ＩＣチップ２０と一緒に構成されている必要はなく、ファスナーテープ４や導電性のファスナーエレメント、導電性繊維材を有する芯紐等に形成することできるものである。
【０１４１】
図１５〜図１８は、無線ＩＣチップ２０をファスナーテープ４に対して着脱自在に構成した例について説明する。図１５では補強テープ８に電源電池２２と係合部２７ｂとを電気的に接続して取り付け、あわせて係合部２７ｂとアンテナとしても機能させるファスナーエレメント１４又は芯紐１１とを信号線２３で電気的に接続した例を示している。無線ＩＣチップ２０の係合部２７ａを補強テープ８に取り付けた係合部２７ｂと係合させることで電源電池付の無線ＩＣチップを形成することができる。
【０１４２】
図１６はアンテナ２１を被着体２５内に形成した例を示している。この場合において、電源電池を補強テープ８に取り付けることも、アンテナ２１をループ状に形成して起電力を発生させるように構成することもできる。
【０１４３】
図１７は一対のファスナーテープ４のそれぞれに無線ＩＣチップ２０とアンテナ２１とを着脱自在に構成した例を示している。また、図１８では、無線ＩＣチップ２０を補強テープ８に取り付けた係合部２７ｂと着脱自在に取り付けることができる例を示している。係合部２７ｂは信号線２３を介して導電性のファスナーエレメント１４又は導電性繊維材を有する芯紐１１内の導電性繊維材と電気的に接続している例を示している。
【０１４４】
図２５（ｂ）、（ｃ）には、エレメント７内に無線ＩＣチップ２０を内蔵し、芯紐１１内に配した導電性繊維材１２と無線ＩＣチップ２０とを電気的に接続した例を示している。芯紐１１内の導電性繊維材１２をアンテナとして利用することで必要な個数の無線ＩＣチップ２０を任意のエレメント７内に取り付けることができる。エレメント７内への無線ＩＣチップ２０の取り付けは、エレメント７の成形時に一緒に組み込むことができる。
【０１４５】
なお、無線ＩＣチップは各種ファスナーの固着手段に取付が可能であり、例えば、スナップボタンファスナーであれば雄係合部材や雌係合部材の内部に無線ＩＣチップを取り付けることができる。
【０１４６】
芯紐１１内の導電性繊維材１２をファスナーテープに配した導電性繊維材、導電性材とループ状に接続してアンテナを構成することもできる。
【０１４７】
図２８は、上止部５に無線ＩＣチップを内蔵させた例を示しており、また、図２９は下止部６に無線ＩＣチップを内蔵させた例を示している。これらの例において、アンテナとしては、無線ＩＣチップ２０と一体に形成することも、導電性のファスナーエレメント、導電性繊維材を有する芯紐等を利用することもできる。なお、図示例では上下止部５，６に無線ＩＣチップを内蔵させた例を示したが、識別媒体として無線ＩＣチップに代えて、希土類元素を樹脂に混入させたプラゲノム（登録商標）を用いることもできる。
【０１４８】
図３０は、下止部６に無線ＩＣチップ２０を着脱自在に嵌入させることのできる穴部６ａを形成した例を示している。無線ＩＣチップ２０のアンテナは、無線ＩＣチップ２０と一体に形成することも、導電性のファスナーエレメント、導電性繊維材を有する芯紐等を利用することもできる。無線ＩＣチップ２０を穴部６ａから着脱させることで、読取装置との間での通信を行いたくないときには、いつでも穴部６ａから無線Ｉｃチップを取り出すことができるようになる。
【０１４９】
図３１は、スライダー２に無線ＩＣチップ２０を着脱自在に嵌入させることのできる穴部２ａを形成した例を示している。無線ＩＣチップ２０のアンテナは、無線ＩＣチップ２０と一体に形成することで形成することができる。無線ＩＣチップ２０を穴部２ａから着脱させることで、読取装置との間での通信を行いたくないときには、いつでも穴部２ａから無線ＩＣチップを取り出すことができるようになる。
【０１５０】
図３２は、引き手３に着脱自在に取り付けることのできる装飾体１９に接触式ＩＣチップ２０を取り付けた例を示している。接触式ＩＣチップ２０は装飾体１９の内部に配され、その一部が装飾体１９の表面に形成した開口部から露呈している。リーダー／ライターを開口部からＩＣチップに接触させることによって交信が可能となり、データの読み取りや書き込みを行うことができる。装飾体１９は内部に引き手３に挿入嵌合させることができる。
【０１５１】
また、図３３は、引き手３に着脱自在に取り付けることのできる装飾体１９にアンテナ付の無線ＩＣチップ２０を取り付けた例を示している。無線ＩＣチップ２０は装飾体１９の内部に配され、その全周囲が被覆されている。装飾体１９は係合頭部を有し、引き手３に形成した係合孔部にスナップボタン式に係合させることができる。
【０１５２】
図３４、図３５はスライダー２に対して着脱自在の引き手３に無線ＩＣチップ２０、アンテナ２１を内蔵させた例を示している。引き手３がスライダーに対して着脱自在となっているため、読取装置との間で送受信を行わせたくないときには、いつでも引き手３をスライダー２から外すことができ、無線ＩＣチップ２０に対する不正アクセス等を防止することができる。また、前記引き手３に無線ＩＣチップ２０とアンテナ２１とを内蔵させる代わりに、希土類元素を樹脂に混入させた所謂プラゲノム（登録商標）を添加した樹脂成形体に成形し、これを識別媒体として引き手３の一部に装着一体化形させることもできる。
【０１５３】
図３６は、バックル３６にアンテナを有する無線ＩＣチップを収納したもので、雄部材３６ａに形成した収納部３６ｃにアンテナを有する無線ＩＣチップ２０を嵌合状態で収納したもので、マイナスドライバー等を用いることにより無線ＩＣチップ２０を収納部３６ｃから取り外すことができる。必要に応じて接着剤等を用いて無線ＩＣチップ２０を収納部３６ｃに内蔵させることもできる。図３６（ｂ）は、雄部材３６ａと雌部材３６ｂとを係合させた状態を示しており、同図から分かるとおり、雄部材３６ａと雌部材３６ｂとを係合させた状態では、無線ＩＣチップ２０が外部に露呈することが防止される。
【０１５４】
図３７（ａ）、（ｂ）は、ベルトアジャスター３７に接触式ＩＣチップを取り付けた例を示している。ベルトアジャスター３７に形成した穴部３７ａの内周面には凹部が形成され、接触式ＩＣチップ２０の外周部に形成した凸部と前記凹部とを係合させることで接触式ＩＣチップ２０を着脱可能に取り付けることができる。接触式ＩＣチップとの交信は、ベルトアジャスター３７の表面から露呈して配されたＩＣチップにリーダー／ライターを接触させることで、データの読み取りや書き込みを行うことができる。
【０１５５】
識別媒体としては、前述した無線ＩＣチップや接触式ＩＣチップに代えて、既述したとおり希土類元素を樹脂に混入させたプラゲノム（登録商標）を用いることもできる。紫外線を照射することにより発光スペクトルを生じ、希土類元素の種類や添加量等の変化に対応した特定波長の周波数を情報として検出することができる。図３８は、ナスカン３８に上記プラゲノム（登録商標）を添加した樹脂成形体を識別媒体２０として取り付けた例を示している。ナスカン３８に形成した穴部３８ａに識別媒体２０を着脱可能に嵌入させることができる。符号３５は、長さ調整自在に取り付けられたベルトである。
【０１５６】
図３９は、コードストッパー３９に無線ＩＣチップ２０を取り付けた例を示している。コードストッパー３９本体に螺合した蓋３９ｂとコードストッパー３９本体間に空間部を形成し、同空間部にアンテナを有する無線ＩＣチップ２０を収納させることができる。蓋をコードストッパー３９本体から取り外すことにより、無線ＩＣチップを取り出すことができる。
【０１５７】
また、図４０、４１に示すようにコードストッパー３９本体の外周面に電気接触片を有する面ファスナー３０を形成し、被着体２５に取り付けたセンサ２８及び信号線２９とを同被着体２５に取り付けた面ファスナー３０に形成した電気接触片と前記コードストッパー３９の電気接触片とを電気的に接続することで、センサ２８で検出したデータを無線ＩＣチップ２０に取り込むことができる。また、取り込んだ前記データを読取装置に送信することができるようになる。
【０１５８】
センサ２８として心拍数を計測するセンサを用いたときには、例えば、ジョギング中での心拍数を計測することなど幅広い用途に使用することができるようになる。符号３９ａは、長さ調整自在に取り付けられた紐である。
【０１５９】
図４２は、被着体２５に固定された雄ボタン４０ｂと雌ボタン４０ａとからなるスナップボタン４０にアンテナを有する無線ＩＣチップを内蔵した例を示している。雄ボタン４０ｂ又は雌ボタン４０ａに設けられた蓋４０ｃを着脱することで無線ＩＣチップ２０をスナップボタン４０に内蔵させることができる。蓋４０ｃを用いたことにより、不要のときには無線ＩＣチップ２０をスナップボタン４０から取り出しておくことができ、無線ＩＣチップへの不正アクセス等を防止することができる。
【０１６０】
図４３〜図４６には、遮蔽材４５により無線ＩＣチップ２０及びアンテナ２１を遮蔽することのできる例を示している。遮蔽材４５としては金属板、金属網、磁性材を含有した樹脂板等を用いることができる。遮蔽材４５を備えた部材はスライドファスナー１に着脱自在に取り付けることも、被着体２５に取り付けることもできる。遮蔽材４５を備えた部材をスライドファスナー１や被着体２５に着脱自在とする構成としては、面ファスナー３０を用いたりスナップボタン４０等の着脱可能なファスナーを用いることで行うことができる。
【０１６１】
図４３に示すように、面ファスナー３０を係合させることで遮蔽材４５が無線ＩＣチップ２０を被覆し、無線ＩＣチップ２０からの発信又は読取装置からの信号の受信を遮蔽することができる。
【０１６２】
図４４に示すように、ファスナーエレメント１４等長手方向にわたってアンテナが形成されているときには、アンテナ全域を遮蔽材４５で覆うことが必要である。また、図４５に示すように遮蔽材４５の前面側にアンテナ２１を形成し、遮蔽材４５を備えた被着体２５でスライドファスナー１を覆うことで、スライドファスナー１とアンテナ２１とを同時に遮蔽と被覆とを行うことができる。
【０１６３】
図４４に示すように、ファスナーエレメント１４等長手方向にわたってアンテナが形成されているときには、アンテナ全域を遮蔽材４５で覆うことが必要である。また、図４５に示すように遮蔽材４５の前面側にアンテナ２１を形成し、遮蔽材４５を備えた被着体２５でスライドファスナー１を覆うことで、スライドファスナー１とアンテナ２１とを同時に遮蔽と被覆とを行うことができる。
【０１６４】
図４７〜図４９は、本発明のファスナーを被着体２５である衣服に被着した例を示している。被着体２５に予めアンテナ２１や各種センサ２８、信号線２９を取り付けておき、例えば、ファスナーとしてスライドファスナー１を被着体２５に被着するときには、スライドファスナー１に設けた導電性繊維材や導電材を信号線として使用し、前記信号線を前記導電性繊維材や導電材からなる信号線に接続することで、センサ２８での検出値をスライドファスナー１に取り付けた図示せぬ無線ＩＣチップに格納することができる。
【０１６５】
外部に配した読取装置２４と無線ＩＣチップとの間で信号の送受信を行うことで、無線ＩＣチップに格納した前記センサからの検出値を読取装置２４に送信することができる。また、前記スライドファスナー１に設けた導電性繊維材や導電材を送受信用アンテナとして使用することにより、読取装置２４と無線ＩＣチップ間の距離が広くなっても同送受信用アンテナを用いて信号の送受信を行うことができる。
【０１６６】
スライドファスナー１に電源電池を備えているときには、無線ＩＣチップに格納したプログラムに従って、例えば所定時間毎等において無線ＩＣチップから読取装置２４に各種データを送信することができる。ファスナーに取り付けた無線ＩＣチップに電源電池を有した（アクティブタイプ）と電源電池を有さない（パッシブタイプ）双方の機能を併せ持たせ、電源によって少なくとも数年は有電起動機能を備えさせることで、製造や販売段階での無線ＩＣチップからの電波が所定範囲内に亘って安定した状態で読取装置により受信することができるようになり、電源の寿命後には読取装置側からの信号に応じて発信する機能を維持させることができる。
【０１６７】
しかも、アクティブタイプに無線ＩＣチップとパッシブタイプの無線ＩＣチップとをファスナーに取り付け、双方の無線ＩＣチップを同期させて、あるいは一方のみの無線ＩＣチップを選択的に作動させることができる。これにより、アクティブタイプの無線ＩＣチップにより電池の寿命が尽きるまでは、無線ＩＣチップから所定範囲にわたって電波を安定して発信することができ、電池の寿命後は、パッシブタイプの無線ＩＣチップによって、読取装置側からの信号に応じて発信する機能を維持させることができるようになる。
【０１６８】
図４９に示すように被着体２５に太陽電池４６を取り付け、被着体２５に取り付けた各センサやスライドファスナー１に取り付け無線ＩＣチップの電源電池とすることができる。
【０１６９】
ＩＤタグを識別対象物である医療用の衣服に使用した場合等において、医療用衣服の生地には所要数のセンサが取着することができる。センサとしては、患者の心拍数、呼吸、血圧、体温、脳波などを常に監視するセンサや現在の所在位置を検出する位置センサなど各種センサを用いることができる。被着体２５としては、衣服に限らず帽子等に無線ＩＣチップを備えたファスナーを取り付けることもできる。
【０１７０】
本発明の無線ＩＣチップを取り付けたファスナーは、無線ＩＣチップ等を被着体の目立たない部位に完全に覆うことができ、無線ＩＣチップの存在を容易に認識することはできない状態とすることができる。しかも、無線ＩＣチップ等を簡単に被着物から取り外せることができない部位に配することもできる。
【０１７１】
これにより、無線ＩＣチップに格納するデータとしてセキュリティ番号などを格納することにより、商品の紛失対策、盗難対策、偽造対策の信頼性が十分に保証できる。また、無線ＩＣチップのメモリに個々の商品情報などを格納することにより、商品の生産から物流、販売等の全ての商品管理を合理的に行うことができる。また、無線ＩＣチップをファスナーに着脱自在に取り付けることができるので、必要なときには無線ＩＣチップをファスナーから取り外しておくことができるようになる。
【０１７２】
なお、本発明は上記実施形態に限定されるものではなく、それらの実施形態から当業者が容易に変更可能な技術的な範囲をも当然に包含するものである。
【図面の簡単な説明】
【０１７３】
【図１】図１は第１の実施形態の無線ＩＣチップの配置位置を示す図である。
【図２】図２は、図１における縦断面図である。
【図３】図３は、無線ＩＣチップとアンテナ線または信号線の配置位置を示す図である。
【図４】図４は、面ファスナーに無線ＩＣチップを取り付けた例を示す図である。
【図５】図５は、面ファスナーに無線ＩＣチップを取り付けた変形例を示す図である。
【図６】図６は、スナップファスナーに無線ＩＣチップを取り付けた例を示す図である。
【図７】図７は、レール状ファスナーに無線ＩＣチップを取り付けた例を示す図である。
【図８】図８は、第２の実施形態の無線ＩＣチップを下止部近傍に配した例を示す図である。
【図９】図９は、第２の実施形態の変形例を示す図である。
【図１０】図１０は、第２の実施形態の他の変形例を示す図である。
【図１１】図１１は、第２の実施形態で電源電池を取り付けた例を示す図である。
【図１２】図１２は、第２の実施形態で電源電池を取り付けた変形例を示す図である。
【図１３】図１３は、第２の実施形態で電源電池を取り付けた他の変形例を示す図である。
【図１４】図１４は、図１３のスイッチ機構を説明する図である。
【図１５】図１５は、無線ＩＣチップを着脱自在に取り付けた例を示す図である。
【図１６】図１６は、無線ＩＣチップを着脱自在に取り付けた変形例を示す図である。
【図１７】図１７は、無線ＩＣチップを着脱自在に取り付けた他の変形例を示す図である。
【図１８】図１８は、無線ＩＣチップを着脱自在に取り付けた別の変形例を示す図である。
【図１９】図１９は、導電性繊維材を織糸として用いた例を示す図である。
【図２０】図２０は、導電性繊維材を織糸として用いた変形例を示す図である。
【図２１】図２１は、導電性繊維材を編糸として用いた例を示す図である。
【図２２】図２２は、導電材をファスナーテープに取り付けた例を示す図である。
【図２３】図２３は、導電材をファスナーテープに取り付けた変形例を示す図である。
【図２４】図２４は、導電材をファスナーテープに埋め込んだ例を示す図である。
【図２５】図２５は、エレメントに無線ＩＣチップを設け、導電性繊維材を芯紐に設けた例を示す図である。
【図２６】図２６は、アンテナ機能を持たせたファスナーエレメントがコイル状であることを示す部分拡大図である。
【図２７】図２７は、アンテナ機能を持たせたファスナーエレメントがジグザグ状であることを示す部分拡大図である。
【図２８】図２８は、上止部に無線ＩＣチップを取り付けた例を示す図である。
【図２９】図２９は、下止部に無線ＩＣチップを取り付けた例を示す図である。
【図３０】図３０は、下止部に無線ＩＣチップを取り付けた変形例を示す図である。
【図３１】図３１は、スライダーに無線ＩＣチップを取り付けた例を示す図である。
【図３２】図３２は、装飾部材に接触式ＩＣチップを取り付けた例を示す図である。
【図３３】図３３は、装飾部材に無線ＩＣチップを取り付けた変形例を示す図である。
【図３４】図３４は、着脱式の引き手に無線ＩＣチップを取り付けた例を示す図である。
【図３５】図３５は、着脱式の引き手に無線ＩＣチップを取り付けた変形例を示す図である。
【図３６】図３６は、バックルに無線ＩＣチップを取り付けた例を示す図である。
【図３７】図３７は、ベルトアジャスターに接触式ＩＣチップを取り付けた例を示す図である。
【図３８】図３８は、ナスカンにプラゲノム（登録商標）を取り付けた例を示す図である。
【図３９】図３９は、コードストッパーに無線ＩＣチップを取り付けた例を示す図である。
【図４０】図４０は、コードストッパーに無線ＩＣチップを取り付けた変形例を示す図である。
【図４１】図４１は、コードストッパーと被着体との関係を示す図である。
【図４２】図４２は、スナップボタンに無線ＩＣチップを取り付けた例を示す図である。
【図４３】図４３は、遮蔽材を配した例を示す図である。
【図４４】図４４は、遮蔽材を配した変形例を示す図である。
【図４５】図４５は、遮蔽材を配した他の変形例を示す図である。
【図４６】図４６は、遮蔽材を配した別の変形例を示す図である。
【図４７】図４７は、被着体に無線ＩＣチップを有するスライドファスナーを被着した例を示す図である。
【図４８】図４８は、被着体に無線ＩＣチップを有するスライドファスナーを被着した変形例を示す図である。
【図４９】図４９は、被着体に無線ＩＣチップを有するスライドファスナーを被着した他の変形例を示す図である。
【図５０】図５０は、被着体に無線ＩＣチップを有するスライドファスナーを被着した別の変形例を示す図である。
【図５１】図５１は、従来例を示す図である。
【図５２】図５２は、他の従来例を示す図である。
【図５３】図５３は、図５２の断面図である。
【符号の説明】
【０１７４】
１                スライドファスナー
２                スライダー
２ａ              穴部
３                引き手
４                ファスナーテープ
５                上止部
６                下止部
６ａ              穴部
７                エレメント
８                補強テープ
９                蝶棒
１０                箱棒
１１                芯紐
１２                導電性繊維材
１３                導電材
１５                開離嵌挿具
２０                識別媒体（無線ＩＣチップ、接触式ＩＣチップ、その他）
２１                アンテナ
２２                電源電池
２３                信号線
２４                読取装置
２５                被着体
２６                縫製ライン
２７ａ、２７ｂ      係合部
２８                センサ
２９                信号線
３０                面ファスナー
３１                スナップファスナー
３２ａ              スナップファスナーのテープ
３３                レール状ファスナー
３３ａ              レール状ファスナーのテープ
３５                ベルト
３６                バックル
３６ａ              雄部材
３６ｂ              雌部材
３６ｃ              収納部
３７                ベルトアジャスター
３８                ナスカン
３８ａ              穴部
３９                コードストッパー
３９ａ              紐
３９ｂ              蓋
４０                スナップボタン
４０ａ              雌ボタン
４０ｂ              雄ボタン
４０ｃ              蓋
４５                遮蔽材
４６                太陽電池
５１                引手本体
５２                埋込孔
５３                コイルアンテナ
５４                ＩＣチップ
５５                ガラス管
５６                送受信用スリット
６１                縫止脚
６２                ボタン本体
６４                リング状の凹所
６５                らせん状コイルアンテナ
６６                無線ＩＣチップ
【手続補正２】
【補正対象書類名】図面
【補正対象項目名】図３４
【補正方法】変更
【補正の内容】
【図３４】
2005018365.tif 000056
【国際調査報告】
2005018365.tif 000057
2005018365.tif 000058
2005018365.tif 000059
2005018365.tif 000060
2005018365.tif 000061
2005018365.tif 000062